(57)【要約】  本開示は、ストロボの制御方法、装置、端末、プログラム及び記録媒体に関する。当該方法は、被写体の位置情報を検出するステップと、位置情報に基づいて、被写体に対するストロボパラメータを特定するステップとを含む。本開示の実施例によれば、ストロボが被写体の位置の相違に基づいて異なるストロボパラメータを与えるように制御するため、鮮明なイメージングが実現可能である。【選択図】図１
2017524991.tif 000002
【特許請求の範囲】
【請求項１】
被写体の位置情報を検出するステップと、
前記位置情報に基づいて、前記被写体に対するストロボパラメータを特定するステップとを含むことを特徴とするストロボの制御方法。
【請求項２】
前記位置情報に基づいて、前記被写体に対するストロボパラメータを特定するステップは、
前記位置情報に基づいて、前記ストロボに供給される電流を特定するステップと、
前記電流に基づいて、前記被写体に対するストロボの光強度を特定するステップとを含むことを特徴とする請求項１に記載のストロボの制御方法。
【請求項３】
前記位置情報に基づいて、前記ストロボに供給される電流を特定するステップは、
予め記憶された前記被写体の位置情報と前記ストロボに供給される電流との関係を検索するステップと、
検出された位置情報および検索された前記関係に基づいて、検出された位置情報に対応する電流を前記ストロボに供給される電流として算出するステップとを含むことを特徴とする請求項２に記載のストロボの制御方法。
【請求項４】
前記位置情報に基づいて、前記ストロボに供給される電流を特定するステップは、
前記近端発光面の内側に位置することを検出された位置情報が示す場合、記憶された第１の所定電流を前記ストロボに供給される電流として読み取るステップと、
前記近端発光面と遠端発光面との間に位置することを検出された位置情報が示す場合、検出された位置情報、および、記憶された前記被写体の位置情報と前記ストロボに供給される電流との関係に基づいて、検出された位置情報に対応する電流を前記ストロボに供給される電流として算出するステップと、
前記遠端発光面の外側に位置することを検出された位置情報が示す場合、記憶された第２の所定電流を前記ストロボに供給される電流として読み取るステップとを含むことを特徴とする請求項２に記載のストロボの制御方法。
【請求項５】
前記電流に基づいて、前記被写体に対するストロボの光強度を特定するステップの後に、さらに、
前記光強度に基づいて、前記ストロボの発光角度を特定するステップを含むことを特徴とする請求項２に記載のストロボの制御方法。
【請求項６】
前記ストロボは、少なくとも第１の光を供給するための第１のストロボと第２の光を供給するための第２のストロボとを含み、前記電流は、前記第１のストロボに供給される第１の電流と前記第２のストロボに供給される第２の電流とを含み、前記光強度は、前記第１の光の第１の光強度と第２の光の第２の光強度とを含み、前記発光角度は、前記第１の光に対応する第１の発光角度と前記第２の光に対応する第２の発光角度とにより定められることを特徴とする請求項５に記載のストロボの制御方法。
【請求項７】
前記光強度に基づいて、前記ストロボの発光角度を特定するステップは、
前記第１の光強度と前記第２の光強度との大小関係を判断するステップと、
大きいと判断された光強度について、対応する発光角度が小さいと特定し、小さいと判断された光強度について、対応する発光角度が大きいと特定するステップとを含むことを特徴とする請求項６に記載のストロボの制御方法。
【請求項８】
前記発光角度は、前記第１の発光角度および第１の重み値の積と、前記第２の発光角度および第２の重み値の積とのうちの大きい方であり、前記第１の重み値は、前記第１の電流に正比例し、前記第２の重み値は、前記第２の電流に正比例することを特徴とする請求項６に記載のストロボの制御方法。
【請求項９】
前記位置情報と前記第１の電流との関係は、第１の対数関係であり、前記第１の対数の底は、０よりも大きく、且つ１よりも小さくなり、
前記位置情報と前記第２の電流との関係は、第２の対数関係であり、前記第２の対数の底は、１よりも大きくなることを特徴とする請求項６に記載のストロボの制御方法。
【請求項１０】
前記第１の光と前記第２の光との混合光の光強度が前記位置情報の変化によらず一定となるように、前記第１の電流および前記第２の電流が用いられることを特徴とする請求項９に記載のストロボの制御方法。
【請求項１１】
前記位置情報は、前記被写体と前記ストロボ間の距離情報、並びに、前記被写体の最高点および最低点と前記ストロボとによって形成された角度情報を含むことを特徴とする請求項１乃至１０のうちの何れか一項に記載のストロボの制御方法。
【請求項１２】
被写体の位置情報を検出するための位置情報検出モジュールと、
前記位置情報に基づいて、前記被写体に対するストロボパラメータを特定するためのストロボパラメータ特定モジュールとを備えることを特徴とするストロボの制御装置。
【請求項１３】
前記ストロボパラメータ特定モジュールは、
前記位置情報に基づいて、前記ストロボに供給される電流を特定するための電流特定サブモジュールと、
前記電流に基づいて、前記被写体に対するストロボの光強度を特定するための光強度特定サブモジュールとを備えることを特徴とする請求項１２に記載のストロボの制御装置。
【請求項１４】
前記電流特定サブモジュールは、
予め記憶された前記被写体の位置情報と前記ストロボに供給される電流との関係を検索するための検索サブモジュールと、
検出された位置情報および検索された前記関係に基づいて、検出された位置情報に対応する電流を前記ストロボに供給される電流として算出するための第１の算出サブモジュールとを備えることを特徴とする請求項１３に記載のストロボの制御装置。
【請求項１５】
前記電流特定サブモジュールは、
前記近端発光面の内側に位置することを検出された位置情報が示す場合、記憶された第１の所定電流を前記ストロボに供給される電流として読み取るための第１の所定電流読取サブモジュールと、
前記近端発光面と遠端発光面との間に位置することを検出された位置情報が示す場合、検出された位置情報、および、記憶された前記被写体の位置情報と前記ストロボに供給される電流との関係に基づいて、検出された位置情報に対応する電流を前記ストロボに供給される電流として算出するための第２の算出サブモジュールと、
前記遠端発光面の外側に位置することを検出された位置情報が示す場合、記憶された第２の所定電流を前記ストロボに供給される電流として読み取るための第２の所定電流読取サブモジュールとを備えることを特徴とする請求項１３に記載のストロボの制御装置。
【請求項１６】
前記ストロボパラメータ特定モジュールは、さらに、
前記光強度に基づいて、前記ストロボの発光角度を特定するための発光角度特定サブモジュールを備えることを特徴とする請求項１３に記載のストロボの制御装置。
【請求項１７】
前記ストロボは、少なくとも第１の光を供給するための第１のストロボと第２の光を供給するための第２のストロボとを含み、前記電流は、前記第１のストロボに供給される第１の電流と前記第２のストロボに供給される第２の電流とを含み、前記光強度は、前記第１の光の第１の光強度と第２の光の第２の光強度とを含み、前記発光角度は、前記第１の光に対応する第１の発光角度と前記第２の光に対応する第２の発光角度とにより定められることを特徴とする請求項１６に記載のストロボの制御装置。
【請求項１８】
前記発光角度特定サブモジュールは、
前記第１の光強度と前記第２の光強度との大小関係を判断するための光強度大小判断サブモジュールと、
大きいと判断された光強度について、対応する発光角度が小さいと特定し、小さいと判断された光強度について、対応する発光角度が大きいと特定するための発光角度大小特定サブモジュールとを備えることを特徴とする請求項１７に記載のストロボの制御装置。
【請求項１９】
前記発光角度特定サブモジュールで特定された前記発光角度は、前記第１の発光角度および第１の重み値の積と、前記第２の発光角度および第２の重み値の積とのうちの大きい方であり、前記第１の重み値は、前記第１の電流に正比例し、前記第２の重み値は、前記第２の電流に正比例することを特徴とする請求項１７に記載のストロボの制御装置。
【請求項２０】
前記位置情報と前記第１の電流との関係は、第１の対数関係であり、前記第１の対数の底は、０よりも大きく、且つ１よりも小さくなり、
前記位置情報と前記第２の電流との関係は、第２の対数関係であり、前記第２の対数の底は、１よりも大きくなることを特徴とする請求項１７に記載のストロボの制御装置。
【請求項２１】
前記第１の光と前記第２の光との混合光の光強度が前記位置情報の変化によらず一定となるように、前記電流特定サブモジュールで特定された前記第１の電流および前記第２の電流が用いられることを特徴とする請求項２０に記載のストロボの制御装置。
【請求項２２】
前記位置情報検出モジュールで検出された前記位置情報は、前記被写体と前記ストロボ間の距離情報、並びに、前記被写体の最高点および最低点と前記ストロボとによって形成された角度情報を含むことを特徴とする請求項１１乃至２１のうちの何れか一項に記載のストロボの制御装置。
【請求項２３】
端末であって、
プロセッサと、プロセッサの実行可能な指令を記憶するためのメモリとを備え、
前記プロセッサは、
被写体の位置情報を検出し、
前記位置情報に基づいて、前記被写体に対するストロボパラメータを特定するように構成されることを特徴とする端末。
【発明の詳細な説明】
【技術分野】
【０００１】
本開示は、撮像技術分野に関し、特に、ストロボの制御方法、装置および端末に関する。
【背景技術】
【０００２】
ストロボは、一般的に、光線が比較的に暗い場合の瞬間照明、および、光線が比較的に明るい場合の局部フィルインに利用されている。カメラで暗い環境において撮影するとき、ストロボは、一般的に先にプリフラッシュし、それから固定の光強度および輝度でフラッシュすることで、フィルイン撮影を行う。
【０００３】
関連技術では、被写体の距離によらず、同じ強度のフラッシュを与えるため、被写体がカメラに近いとき、露出オーバーになり、鮮明なイメージングができない一方、被写体がカメラから離れたとき、十分な光強度での照射ができず、同様に鮮明なイメージングができない。
【発明の概要】
【発明が解決しようとする課題】
【０００４】
本開示は、ストロボが被写体の位置によらず固定の光強度でフィルインすることにより鮮明なイメージングができないという関連技術の問題を解決すべく、ストロボの制御方法、装置および端末を提供する。
【課題を解決するための手段】
【０００５】
本開示の実施例の第１の態様によれば、ストロボの制御方法を提供する。前記ストロボの制御方法は、
被写体の位置情報を検出するステップと、
前記位置情報に基づいて、前記被写体に対するストロボパラメータを特定するステップとを含む。
【０００６】
好ましくは、前記位置情報に基づいて、前記被写体に対するストロボパラメータを特定するステップは、
前記位置情報に基づいて、前記ストロボに供給される電流を特定するステップと、
前記電流に基づいて、前記被写体に対するストロボの光強度を特定するステップとを含む。
【０００７】
好ましくは、前記位置情報に基づいて、前記ストロボに供給される電流を特定するステップは、
予め記憶された前記被写体の位置情報と前記ストロボに供給される電流との関係を検索するステップと、
検出された位置情報および検索された前記関係に基づいて、検出された位置情報に対応する電流を前記ストロボに供給される電流として算出するステップとを含む。
【０００８】
好ましくは、前記位置情報に基づいて、前記ストロボに供給される電流を特定するステップは、
前記近端発光面の内側に位置することを検出された位置情報が示す場合、記憶された第１の所定電流を前記ストロボに供給される電流として読み取るステップと、
前記近端発光面と遠端発光面との間に位置することを検出された位置情報が示す場合、検出された位置情報、および、記憶された前記被写体の位置情報と前記ストロボに供給される電流との関係に基づいて、検出された位置情報に対応する電流を前記ストロボに供給される電流として算出するステップと、
前記遠端発光面の外側に位置することを検出された位置情報が示す場合、記憶された第２の所定電流を前記ストロボに供給される電流として読み取るステップとを含む。
【０００９】
好ましくは、前記電流に基づいて、前記被写体に対するストロボの光強度を特定するステップの後に、さらに、
前記光強度に基づいて、前記ストロボの発光角度を特定するステップを含む。
【００１０】
好ましくは、前記ストロボは、少なくとも第１の光を供給するための第１のストロボと第２の光を供給するための第２のストロボとを含み、前記電流は、前記第１のストロボに供給される第１の電流と前記第２のストロボに供給される第２の電流とを含み、前記光強度は、前記第１の光の第１の光強度と第２の光の第２の光強度とを含み、前記発光角度は、前記第１の光に対応する第１の発光角度と前記第２の光に対応する第２の発光角度とにより定められる。
【００１１】
好ましくは、前記光強度に基づいて、前記ストロボの発光角度を特定するステップは、
前記第１の光強度と前記第２の光強度との大小関係を判断するステップと、
大きいと判断された光強度について、対応する発光角度が小さいと特定し、小さいと判断された光強度について、対応する発光角度が大きいと特定するステップとを含む。
【００１２】
好ましくは、前記発光角度は、前記第１の発光角度および第１の重み値の積と、前記第２の発光角度および第２の重み値の積とのうちの大きい方であり、前記第１の重み値は、前記第１の電流に正比例し、前記第２の重み値は、前記第２の電流に正比例する。
【００１３】
好ましくは、前記位置情報と前記第１の電流との関係は、第１の対数関係であり、前記第１の対数の底は、０よりも大きく、且つ１よりも小さくなり、
前記位置情報と前記第２の電流との関係は、第２の対数関係であり、前記第２の対数の底は、１よりも大きくなる。
【００１４】
好ましくは、前記第１の光と前記第２の光との混合光の光強度が前記位置情報の変化によらず一定となるように、前記第１の電流および前記第２の電流が用いられる。
【００１５】
好ましくは、前記位置情報は、前記被写体と前記ストロボ間の距離情報、並びに、前記被写体の最高点および最低点と前記ストロボとによって形成された角度情報を含む。
【００１６】
本開示の第２の態様によれば、ストロボの制御装置を提供する。前記ストロボの制御装置は、
被写体の位置情報を検出するための位置情報検出モジュールと、
前記位置情報に基づいて、前記被写体に対するストロボパラメータを特定するためのストロボパラメータ特定モジュールとを備える。
【００１７】
好ましくは、前記ストロボパラメータ特定モジュールは、
前記位置情報に基づいて、前記ストロボに供給される電流を特定するための電流特定サブモジュールと、
前記電流に基づいて、前記被写体に対するストロボの光強度を特定するための光強度特定サブモジュールとを備える。
【００１８】
好ましくは、前記電流特定サブモジュールは、
予め記憶された前記被写体の位置情報と前記ストロボに供給される電流との関係を検索するための検索サブモジュールと、
検出された位置情報および検索された前記関係に基づいて、検出された位置情報に対応する電流を前記ストロボに供給される電流として算出するための第１の算出サブモジュールとを備える。
【００１９】
好ましくは、前記電流特定サブモジュールは、
前記近端発光面の内側に位置することを検出された位置情報が示す場合、記憶された第１の所定電流を前記ストロボに供給される電流として読み取るための第１の所定電流読取サブモジュールと、
前記近端発光面と遠端発光面との間に位置することを検出された位置情報が示す場合、検出された位置情報、および、記憶された前記被写体の位置情報と前記ストロボに供給される電流との関係に基づいて、検出された位置情報に対応する電流を前記ストロボに供給される電流として算出するための第２の算出サブモジュールと、
前記遠端発光面の外側に位置することを検出された位置情報が示す場合、記憶された第２の所定電流を前記ストロボに供給される電流として読み取るための第２の所定電流読取サブモジュールとを備える。
【００２０】
好ましくは、前記ストロボパラメータ特定モジュールは、さらに、
前記光強度に基づいて、前記ストロボの発光角度を特定するための発光角度特定サブモジュールを備える。
【００２１】
好ましくは、前記ストロボは、少なくとも第１の光を供給するための第１のストロボと第２の光を供給するための第２のストロボとを含み、前記電流は、前記第１のストロボに供給される第１の電流と前記第２のストロボに供給される第２の電流とを含み、前記光強度は、前記第１の光の第１の光強度と第２の光の第２の光強度とを含み、前記発光角度は、前記第１の光に対応する第１の発光角度と前記第２の光に対応する第２の発光角度とにより定められる。
【００２２】
好ましくは、前記発光角度特定サブモジュールは、
前記第１の光強度と前記第２の光強度との大小関係を判断するための光強度大小判断サブモジュールと、
大きいと判断された光強度について、対応する発光角度が小さいと特定し、小さいと判断された光強度について、対応する発光角度が大きいと特定するための発光角度大小特定サブモジュールとを備える。
【００２３】
好ましくは、前記発光角度特定サブモジュールで特定された前記発光角度は、前記第１の発光角度および第１の重み値の積と、前記第２の発光角度および第２の重み値の積とのうちの大きい方であり、前記第１の重み値は、前記第１の電流に正比例し、前記第２の重み値は、前記第２の電流に正比例する。
【００２４】
好ましくは、前記位置情報と前記第１の電流との関係は、第１の対数関係であり、前記第１の対数の底は、０よりも大きく、且つ１よりも小さくなり、前記位置情報と前記第２の電流との関係は、第２の対数関係であり、前記第２の対数の底は、１よりも大きくなる。
【００２５】
好ましくは、前記第１の光と前記第２の光との混合光の光強度が前記位置情報の変化によらず一定となるように、前記電流特定サブモジュールで特定された前記第１の電流および前記第２の電流が用いられる。
【００２６】
好ましくは、前記位置情報検出モジュールで検出された前記位置情報は、前記被写体と前記ストロボ間の距離情報、並びに、前記被写体の最高点および最低点と前記ストロボとによって形成された角度情報を含む。
【００２７】
本開示の第３の態様によれば、端末を提供する。前記端末は、プロセッサと、プロセッサの実行可能な指令を記憶するためのメモリとを備え、前記プロセッサは、
被写体の位置情報を検出し、
前記位置情報に基づいて、前記被写体に対するストロボパラメータを特定するように構成される。
【発明の効果】
【００２８】
本開示の実施例による技術案は、以下の格別な作用効果を含むことができる。
【００２９】
本開示では、端末は、被写体の所在する位置の相違に基づいて、異なるストロボパラメータを特定するため、被写体のストロボまでの距離によらず同じ強度の光を与える関連技術よりも、被写体がストロボに近い場合の露出オーバーによるイメージングの非鮮明、および、被写体がストロボから離れた場合の光強度の弱すぎによるイメージングの非鮮明という問題を解決することができる。
【００３０】
本開示では、端末は、被写体の位置情報に基づいてストロボに供給される電流を制御することで、ストロボパラメータを特定し、当該ストロボパラメータは、光強度であってもよい。つまり、異なる位置の被写体に異なる光強度の光を与えることで、撮影の鮮明度を向上させる。
【００３１】
本開示では、端末は、対応する被写体の位置情報と電流との関係を予め記憶し、被写体の位置情報が検出されると、直接対応する電流を検索し、当該電流でストロボを駆動すればよい。これにより、被写体がどの位置にあっても、被写体上に照射される光の光強度が固定であることは、保証できる。
【００３２】
本開示では、２つの光強度の光を放出する２つのストロボを有してもよく、高い光強度の光に対して小さい発光角度を供給し、低い光強度の光に対して大きい発光角度を供給することで、２つのストロボの混合光の均一性を保証する。
【００３３】
本開示では、端末は、被写体位置と２つのストロボの電流との関係により、検出された被写体の位置情報に基づいて、対応する電流をリアルタイムに算出することで、被写体がどの位置にあっても、固定の光強度のフィルインを取得し、被写体に対する鮮明な撮影を保証する。
【００３４】
本開示では、ストロボの制御装置は、被写体が近端発光面の内側にあるとき、設定された電流値のみで低い光強度のストロボを駆動し、被写体が遠端発光面の外側にあるとき、設定された電流値のみで高い光強度のストロボを駆動することで、省電力が実現できるとともに、鮮明なイメージングも保証できる。
【００３５】
上述した一般的な記述及び後続の詳細な記述は、単に例示的及び解釈的なものであり、本発明を制限できるものでないと理解されるべきである。
【図面の簡単な説明】
【００３６】
ここでの図面は、明細書を構成する一部として見なされ、本開示に適した実施例を示し、かつ、明細書の文字記載とともに本開示の仕組みを解釈するために用いられる。
【図１】本開示の一実施例によるストロボの制御方法を示すフローチャートである。
【図２Ａ】本開示の一実施例による第１の光強度と第１の発光角度の関係を示す曲線グラフである。
【図２Ｂ】本開示の一実施例による第２の光強度と第２の発光角度の関係を示す曲線グラフである。
【図３】本開示の一実施例による第１の関係と第２の関係の曲線グラフである。
【図４】本開示の一実施例による混合光の強度と位置情報の関係図である。
【図５】本開示の一実施例によるストロボの制御応用シーンを示す模式図である。
【図６】本開示の一実施例によるストロボの制御装置を示すブロック図である。
【図７】本開示の一実施例による別のストロボの制御装置を示すブロック図である。
【図８】本開示の一実施例による別のストロボの制御装置を示すブロック図である。
【図９】本開示の一実施例による別のストロボの制御装置を示すブロック図である。
【図１０】本開示の一実施例による別のストロボの制御装置を示すブロック図である。
【図１１】本開示の一実施例による別のストロボの制御装置を示すブロック図である。
【図１２】本開示の一実施例によるストロボの制御装置のための構造模式図である。
【発明を実施するための形態】
【００３７】
次に、実施例を詳細に説明し、例示が図に示されている。以下の記述が図に係る場合、別途にて示さない限り、異なる図面における同じ数字は、同じまたは類似する要素を示す。以下の実施例に記述される実施形態は、本発明と一致する全ての実施形態を代表するとは限らない。逆に、それらは、添付の特許請求の範囲に記載されているように、本発明の一部の態様と一致する装置及び方法の例に過ぎない。
【００３８】
本開示で使用される用語は、単に特定の実施例を記述するためのものに過ぎず、本発明を限定するものではない。本開示及び添付する特許請求の範囲で使用される単数形である「一」、「前記」、及び「当該」も、他の意味を表すと明らかに記載しない限り、複数形を含む。さらに、この文章で使用される用語「および／または」とは、１つまたは複数の関連列挙項目の任意または全ての可能な組合せを含むことを言う、と理解されるべきである。
【００３９】
本開示では、用語である第１、第２などを用いて各種情報を記述する可能性があるが、これらの情報はこれらの用語に限定されない、と理解されるべきである。これら用語は、単に同一種類の情報を互いに区別ためのものに過ぎない。例えば、本発明の範囲を逸脱しない場合、第１の情報は第２の情報と称されても良く、類似的に、第２の情報は第１の情報と称されても良い。言語環境によって、例えば、ここで使用される言葉「若し」は、「…とき」や「…場合」または「…に応答して特定する」と解釈されても良い。
【００４０】
図１に示すように、図１は、一実施例によるストロボの制御方法を示すフローチャートであり、当該方法は、端末に適用可能であり、以下のステップを含むことができる。
【００４１】
ステップ１０１では、被写体の位置情報を検出する。
【００４２】
本開示の端末は、如何なるストロボを有する撮影可能なスマート端末、例えば、スマートフォン、タブレット、ＰＤＡ（Ｐｅｒｓｏｎａｌ  Ｄｉｇｉｔａｌ  Ａｓｓｉｓｔａｎｔ、ＰＤＡ）であってもよいし、デジタルカメラ等のカメラであってもよいし、ハンドル型ストロボデバイス等であってもよい。本開示のストロボは、発光ダイオード（Ｌｉｇｈｔｉｎｇ  Ｅｍｉｔｔｉｎｇ  Ｄｉｏｄｅ、ＬＥＤ）であってもよい。
【００４３】
本開示の手順において、まず、被写体の位置情報を検出し、当該位置情報は、被写体とストロボ間の距離情報を含み、被写体とストロボ間の角度、即ち、ストロボを１つの点と見なし、被写体の最高点からストロボまでの接続線と最低点からストロボまでの接続線との間の角度を更に含む。
【００４４】
ステップ１０２では、位置情報に基づいて、被写体に対するストロボパラメータを特定する。
【００４５】
本開示では、位置情報に基づいて、ストロボに供給される電流を特定し、それから当該電流に基づいて、被写体に対するストロボパラメータを特定してもよい。当該ストロボパラメータは、ストロボから放出された光の光強度を含んでもよく、発光角度をさらに含んでもよい。上述した電流を電圧に置き換えてもよいと理解されるべきであるが、本開示の実施例は、電流を例として説明する。
【００４６】
本開示では、異なる位置にある被写体へ同じ光強度の光を与えることによる露出オーバーや撮影非鮮明という関連技術の問題を解決するために、異なる位置の被写体に応じて異なるストロボパラメータを与えることで、被写体がストロボに遠くても近くても、ほぼ同じ光を取得することを保証する。上記目的を達成するために、被写体の位置情報と対応するストロボ電流との関係を予め記憶し、当該予め記憶された関係を検索することで、検出された位置情報に対応する電流を検索でき、そして当該電流でストロボを駆動して、期待の撮影効果が得られる。
【００４７】
なお、近端発光面や遠端発光面にて被写体の位置を区別してもよく、近端発光面の内側と遠端発光面の外側とに位置する被写体に対して、所定の固定電流を与える。具体的に、検出された位置情報と近端発光面および遠端発光面との位置関係を判断し、近端発光面の内側に位置すると当該位置情報が示すとき、記憶された第１の所定電流をストロボに供給される電流として読み取り、近端発光面と遠端発光面の間に位置すると当該位置情報が示すとき、検出された位置情報、および、記憶された被写体の位置情報とストロボに供給される電流との関係に基づいて、検出された位置情報に対応する電流をストロボに供給される電流として算出し、遠端発光面の外側に位置すると検出された位置情報が示すとき、記憶された第２の所定電流をストロボに供給される電流として読み取る。上述した通り、本開示におけるストロボは、１つであってもよく、被写体位置の相違に基づいて異なるストロボパラメータを与える。
【００４８】
本開示におけるストロボは、ダブルストロボであってもよく、２つのストロボ、即ち、第１の光強度を有する第１の光および第２の光強度を有する第２の光をそれぞれ供給する第１のストロボと第２のストロボとを含み、第１の光と第２の光との混合光は、被写体に照射される。第１のストロボと第２のストロボは、同一の平面に位置しても良い。
【００４９】
本開示における第１の光強度と第２の光強度は、同じであってもよいし、異なっても良い。異なる場合、両者は、少なくとも１．５倍の差がある。ストロボに供給される電流は、第１のストロボに供給される第１の電流と第２のストロボに供給される第２の電流とを含み、ストロボの発光角度は、第１の光に対応する第１の発光角度と第２の光に対応する第２の発光角度とにより定められる。
【００５０】
本開示では、光強度を特定した後で、更にストロボの発光角度を特定してもよい。ダブルストロボの場合、第１の光強度と第２の光強度を特定した後で、どの光強度の方が大きいかを判断しても良い。第１の光強度が第２の光強度よりも小さい場合、第１の発光角度が第２の発光角度よりも大きいと特定し、第１の光強度が第２の光強度よりも大きい場合、第１の発光角度が第２の発光角度よりも小さいと特定する。端末において発光角度がレンズで実現されてもよく、例えば、第１のレンズが第１の発光角度を与え、第２のレンズが第２の発光角度を与える。
【００５１】
本開示の実施例では、発光角度は、第１の発光角度および第１の重み値の積と、第２の発光角度および第２の重み値の積とのうちの大きい方であっても良い。ただし、第１の重み値は、第１の電流に正比例し、第２の重み値は、第２の電流に正比例する。例えば、第１の重み値は、第１の電流と第１の電流および第２の電流の和との比であっても良く、第２の重み値は、第２の電流と第１の電流および第２の電流の和との比であっても良い。計算式は、式（１）である。
【数１】
2017524991.tif 000003
ただし、θ１は第１の発光角度を表し、θ２は第２の発光角度を表し、ｙ１は第１の電流を表し、ｙ２は第２の電流を表し、θは任意の位置に対するレンズモジュール１３０の発光角度を表す。
【００５２】
図２Ａは、第１のストロボの第１の光強度と第１の発光角度との間の関係を示し、図２Ｂは、第２のストロボの第２の光強度と第２の発光角度との間の関係を示す。図２Ａ、２Ｂから分かるように、第１のストロボ１１０より供給された第１の光強度が低いため、本開示の実施例では、第１のレンズが大きい第１の発光角度を与えるようにする。つまり、第１のレンズの中心（図２Ａと２Ｂにおいて０°に対応する位置）から出た第１の光の光強度が第１のレンズの周辺から出た第１の光の光強度よりも弱くなる。第２のストロボ１２０より供給された第２の光の強度が高いため、本開示の実施例では、第２のレンズが小さい第２の発光角度を与えるようにする。つまり、第２のレンズの中心から出た第２の光の光強度が第２のレンズの周辺から出た第２の光の光強度よりも強くなる。これにより、第１のストロボと第２のストロボが一緒に稼動する場合、ストロボに近い位置から遠い位置まで、近端発光面Ａから遠端発光面Ｂまでも、同じ光強度の均一な混合光の取得が確保できる。説明必要なことは、図２Ａ、２Ｂが発光角度と光強度との関係を模式的に示すが、実際の応用では、カメラヘッダの相違により、当該関係曲線が異なる場合もある。しかし、第１のレンズの中心から出た光強度が周辺から出た光強度よりも弱くなり、第２のレンズの中心から出た光強度が周辺から出た光強度よりも強くなることは、同様である。
【００５３】
ダブルストロボの場合、端末で予め記憶された関係は、位置情報と第１の電流との第１の関係、並びに、位置情報と第２の電流との第２の関係を含み、第１の関係に基づいて第１の電流を算出し、第２の関係に基づいて第２の電流を算出してもよい。第１の関係は、第１の対数関係であってもよく、第１の対数の底は、０よりも大きく、且つ１よりも小さくなり、計算式は、式（２）であり、図３に示す曲線Ｘ１に対応する。第２の関係は、第２の対数関係であってもよく、第２の対数の底は、１よりも大きくなり、計算式は、式（３）であり、図３に示す曲線Ｘ２に対応する。
【数２】
2017524991.tif 000004
【数３】
2017524991.tif 000005
ただし、ｘは被写体の位置情報を表し、ｙ１は第１の電流を表し、ｙ２は第２の電流を表す。
【００５４】
さらに図３に示すように、被写体が位置Ｏにあるとすれば、式（３）に従い第１の電流をＹ２として算出し、式（２）に従い第２の電流をＹ１として算出、第１のストロボモジュールへＹ２電流を出力し、第２のストロボへＹ１電流を出力すると、得られた光強度値Ｅは、図４に示される。被写体が近端発光面Ａから遠端発光面Ｂへ移動するとき、式（２）和（３）に従い第１のストロボおよび第２のストロボに対応する電流値を算出することで、近端発光面Ａから遠端発光面Ｂまでも同じフィルイン強度を維持することができる。即ち、第１の光と第２の光とからなる混合光の光強度Ｅである。これにより、被写体が如何なる位置にあっても、同じ光強度の光を補償できるため、鮮明な撮影効果が実現する。
【００５５】
図５に示すように、図５は、一実施例によるストロボの制御応用シーン図であり、当該応用シーンでは、２つのストロボを設ける場合を例として説明する。図５には、端末に設けられた、第１のストロボ１１０と、第１のレンズ１３１と、第２のストロボ１２０と、第２のレンズ１３２と、第１のストロボ１１０に接続された第１の電源１４０と、第２のストロボ１２０に接続された第２の電源１５０と、検出モジュール１６０と、第１の電源１４０、第２の電源１５０および検出モジュール１６０のいずれにも接続された制御モジュール１７０とが含まれる。
【００５６】
本開示の実施例では、第１のストロボモジュール１１０は、第１の光強度の第１の光を供給し、第２のストロボモジュール１２０は、第２の光強度の第２の光を供給する。第２の光の第２の光強度は、第１の光の第１の光強度の２倍である。第１のレンズ１３１は、第１の発光角度を第１のストロボ１１０へ与えるように、第１のストロボ１１０の位置に応じて設けられ、第２のレンズ１３２は、第２の発光角度を第２のストロボ１２０へ与えるように、第２のストロボ１２０の位置に応じて設けられる。図５に示すように、第１の光強度が第２の光強度よりも小さいため、対応する第１の発光角度θ１が第２の発光角度θ２よりも大きくなる。例えば、第１の発光角度θ１が８０°であり、第２の発光角度θ２が５０°である。式（１）に従い２つのレンズより最終的に与えられた発光角度を特定できる。なお、距離が遠いとき、第１のレンズ１３１と第２のレンズ１３２間の距離を無視してもよいため、図５において、第１の発光角度θ１と第２の発光角度θ２が同一の頂点より示され、且つ、Ａは近端発光面を示し、Ｂは遠端発光面を示す。
【００５７】
第１の電源１４０は、第１のストロボ１１０へ第１の電流を供給するために、第１のストロボ１１０に接続される。第２の電源１５０は、第２のストロボ１２０へ第２の電流を供給するために、第２のストロボ１２０に接続される。第１の電源１４０は、１つのみが稼動してもよいし、２つが一緒に稼動してもよい。対応する第１のストロボ１１０と第２のストロボ１２０も、１つのみが稼動してもよいし、２つが一緒に稼動してもよい。
【００５８】
検出モジュール１６０は、被写体の位置情報を検出する。本開示の実施例において、検出モジュール１６０は、１つのカメラヘッダであってもよいし、被写体位置を検出する専用の検出装置であってもよい。
【００５９】
制御モジュール１７０は、検出モジュール１６０で検出された位置情報に基づいて、第１の電源１４０および第２の電源１５０が規定の電流を出力するように制御する。当該シーンでは、制御モジュール１７０に、第１の所定電流、第２の所定電流が記憶されており、さらに、被写体の位置情報と第１の電流との第１の関係、および被写体の位置情報と第２の電流との第２の関係が記憶されている。
【００６０】
当該応用シーンでは、ストロボの制御方法は、下記のようになってもよい。つまり、検出モジュール１６０は、被写体の位置情報を検出し、当該位置情報を制御モジュール１７０へ送信し、制御モジュール１７０は、近端発光面Ａと遠端発光面Ｂとの間に位置することを当該位置情報が示す場合、検出された位置情報、第１の関係および第２の関係に基づいて、検出された位置情報に対応する第１の電流和第２の電流を算出する。近端発光面Ａの内側に位置することを検出された位置情報が示す場合、ただ第１の所定電流を第１の電流として第１のストロボ１１０へ出力し、被写体が近端発光面Ａ以内のどの位置にあっても、当該第１の所定電流にて第１のストロボ１１０を駆動してフラッシュし、第２の電源１５０に対して制御しない。つまり、このような場合に、第２の電源１５０の出力電流が零であり、第２のストロボ１２０が稼動しない。遠端発光面Ｂの外側に位置することを当該位置情報が示す場合、ただ第２の電源１５０が第２の所定電流を第２の電流として第２のストロボ１２０へ出力するように制御し、被写体が遠端発光面Ｂ以外のどの位置にあっても、当該第２の所定電流にて第２のストロボ１２０を駆動してフラッシュし、第１のストロボ１１０に対して制御しない。つまり、このような場合に、第１の電源１４０の出力電流が零であり、第１のストロボ１１０が稼動しない。近端発光面Ａと遠端発光面Ｂ間に位置することを当該位置情報が示す場合、第１の電源１４０が算出された第１の電流を第１のストロボ１１０へ出力するように制御し、且つ、第２の電源１５０が算出された第２の電流を第２のストロボ１２０へ出力するように制御する。このような場合に、第１のストロボ１１０と第２のストロボ１２０とが一緒に稼動し、第１のストロボ１１０は、第１の電流に基づいてフラッシュし、第２のストロボ１２０は、第２の電流に基づいてフラッシュする。
【００６１】
被写体が運動状態であるとき、制御モジュール１７０は、検出モジュール１６０で検出された被写体の位置、並びに、記憶された第１の関係および第２の関係に基づいて、第１の電源１４０と第２の電源１５０から出力された電流値をリアルタイムに調整することで、被写体が如何なる位置にあっても、被写体上に照射される第１の光と第２の光との混合光の光強度が一定となるように保証できる。
【００６２】
第１のストロボ１１０が光強度の低いストロボであるため、近距離の被写体にとって、露出オーバーによる撮影の非鮮明という問題は存在しない。同様に、第２のストロボ１２０が光強度の高いストロボであるため、フィルイン不足による撮影の非鮮明という問題は存在しない。つまり、このような方式でも、被写体に対する鮮明な撮影が実現できる。
【００６３】
説明必要なことは、ストロボの数は、１つ、２つに限定されない。複数のストロボも本実施例を実現できる。
【００６４】
図６に示すように、図６は、本開示の一実施例によるストロボの制御装置を示すブロック図であり、当該装置は、位置情報検出モジュール９１０と、ストロボパラメータ特定モジュール９２０とを備えてもよい。
【００６５】
ただし、位置情報検出モジュール６１０は、被写体の位置情報を検出するように構成され、
ストロボパラメータ特定モジュール６２０は、位置情報検出モジュール６１０で検出された位置情報に基づいて、被写体に対するストロボパラメータを特定するように構成される。
【００６６】
上記実施例では、端末は、被写体の所在する位置の相違に基づいて、異なるストロボパラメータを特定するため、被写体のストロボまでの距離によらず同じ強度の光を与える関連技術よりも、被写体がストロボに近い場合の露出オーバーによるイメージングの非鮮明、および、被写体がストロボから離れた場合の光強度の弱すぎによるイメージングの非鮮明という問題を解決することができる。
【００６７】
図７に示すように、図７は、本開示の一実施例による別のストロボの制御装置を示すブロック図であり、当該実施例は、上述した図６に示す実施例に加えて、ストロボパラメータ特定モジュール６２０は、電流特定サブモジュール６２１と、光強度特定サブモジュール６２２とを備えてもよい。
【００６８】
ただし、電流特定サブモジュール６２１は、位置情報検出モジュール６１０で検出された位置情報に基づいて、ストロボに供給される電流を特定するように構成され、
光強度特定サブモジュール６２２は、電流特定サブモジュール６２１で特定された電流に基づいて、被写体に対するストロボの光強度を特定するように構成される。
【００６９】
上記実施例では、端末は、被写体の位置情報に基づいてストロボに供給される電流を制御することで、ストロボパラメータを特定し、当該ストロボパラメータは、光強度であってもよい。つまり、異なる位置にある被写体に対して異なる光強度の光を与えることで、撮影の鮮明度を向上させる。
【００７０】
図８に示すように、図８は、本開示の一実施例による別のストロボの制御装置を示すブロック図であり、当該実施例は、上述した図７に示す実施例に加えて、電流特定サブモジュール６２１は、検索サブモジュール６２３と、第１の算出サブモジュール６２４とを備えてもよい。
【００７１】
ただし、検索サブモジュール６２３は、予め記憶された被写体の位置情報とストロボに供給される電流との関係を検索するように構成され、
第１の算出サブモジュール６２４は、検出された位置情報および検索サブモジュール６２３で検索された関係に基づいて、検出された位置情報に対応する電流をストロボに供給される電流として算出するように構成される。
【００７２】
上記実施例では、端末は、対応する被写体の位置情報と電流との関係を予め記憶し、被写体の位置情報が検出された後で、直接対応する電流を検索し、当該電流にてストロボを駆動すればよい。これにより、被写体がどの位置にあっても、被写体上に照射される光の光強度が固定であることは、保証できる。
【００７３】
図９に示すように、図９は、本開示の一実施例による別のストロボの制御装置を示すブロック図であり、当該実施例は、上述した図７に示す実施例に加えて、電流特定サブモジュール６２１は、第１の所定電流読取サブモジュール６２５と、第２の算出サブモジュール６２６と、第２の所定電流読取サブモジュール６２７とを備えてもよい。
【００７４】
ただし、第１の所定電流読取サブモジュール６２５は、近端発光面の内側に位置することを位置情報検出モジュール６１０で検出された位置情報が示す場合、記憶された第１の所定電流をストロボに供給される電流として読み取るように構成され、
第２の算出サブモジュール６２６は、近端発光面と遠端発光面との間に位置することを位置情報検出モジュール６１０で検出された位置情報が示す場合、検出された位置情報、および、記憶された被写体の位置情報とストロボに供給される電流との関係に基づいて、検出された位置情報に対応する電流をストロボに供給される電流として算出するように構成され、
第２の所定電流読取サブモジュール６２７は、遠端発光面の外側に位置することを位置情報検出モジュール６１０で検出された位置情報が示す場合、記憶された第２の所定電流をストロボに供給される電流として読み取るように構成される。
【００７５】
上記実施例では、近端発光面の内側に位置するまたは遠端発光面の外側に位置する被写体について、端末は、予め記憶された固定電流をストロボへ供給し、近端発光面と遠端発光面間に位置する被写体のみについて、予め記憶された位置情報と電流との関係に基づいて対応する電流を算出することも可能であるため、撮影の鮮明度も保証できる。
【００７６】
図１０に示すように、図１０は、本開示の一実施例による別のストロボの制御装置を示すブロック図であり、当該実施例は、上述した図７に示す実施例に加えて、ストロボパラメータ特定モジュール６２０は、発光角度特定サブモジュール６２８をさらに備えてもよい。
【００７７】
ただし、発光角度特定サブモジュール６２８は、光強度特定サブモジュール６２２で特定された光強度に基づいて、ストロボの発光角度を特定するように構成される。
【００７８】
その中、ストロボは、少なくとも第１の光を供給するための第１のストロボと、第２の光を供給するための第２のストロボとを含み、当該電流は、第１のストロボに供給される第１の電流と、第２のストロボに供給される第２の電流とを含み、当該光強度は、第１の光の第１の光強度と、第２の光の第２の光強度とを含み、当該発光角度は、第１の光に対応する第１の発光角度と第２の光に対応する第２の発光角度とにより定められる。
【００７９】
上記実施例では、ストロボの発光角度も特定され、光強度の強い光に対して小さい発光角度を与え、光強度の弱い光に対して大きい発光角度を与えるため、第１のストロボと第２のストロボが一緒に稼動するとき、ストロボに近い位置から遠い位置まで、近端発光面Ａから遠端発光面Ｂまでも、同じ光強度の均一な混合光の取得は保証できる。
【００８０】
図１１に示すように、図１１は、本開示の一実施例による別のストロボの制御装置を示すブロック図であり、当該実施例は、上述した図１０に示す実施例に加えて、発光角度特定サブモジュール６２８は、光強度大小判断サブモジュール６２９と、発光角度大小特定サブモジュール６２１０とを備えてもよい。
【００８１】
ただし、光強度大小判断サブモジュール６２９は、第１の光強度と第２の光強度との大小関係を判断するように構成され、
発光角度大小特定サブモジュール６２１０は、光強度大小判断サブモジュール６２９によって大きいと判断された光強度について、対応する発光角度が小さいと特定し、光強度大小判断サブモジュール６２９によって小さいと判断された光強度について、対応する発光角度が大きいと特定するように構成される。
【００８２】
その中、発光角度特定サブモジュール６２８で特定された発光角度は、第１の発光角度および第１の重み値の積と、第２の発光角度および第２の重み値の積とのうちの大きい方であり、当該第１の重み値は、第１の電流に正比例し、当該第２の重み値は、第２の電流に正比例する。
【００８３】
その中、被写体の位置情報と第１の電流との関係は、第１の対数関係であり、当該第１の対数の底は、０よりも大きく、且つ１よりも小さくなり、被写体の位置情報と第２の電流との関係は、第２の対数関係であり、当該第２の対数の底は、１よりも大きくなる。
【００８４】
その中、電流特定サブモジュール６２１で特定された第１の電流および第２の電流は、第１の光と第２の光との混合光の光強度が位置情報の変化によらず一定となるように用いられる。
【００８５】
図６−図１１に示す実施例では、位置情報検出モジュール６１０で検出された位置情報は、被写体とストロボ間の距離情報、並びに、被写体の最高点および最低点と上記ストロボとによりなされた角度情報を含む。
【００８６】
上記装置における各モジュールの機能および作用の実現手順は、上記方法における対応するステップの実現手順を参照すればよく、ここで繰り返し説明しない。
【００８７】
装置実施例が基本的に方法実施例に対応するため、その関連するところは、方法実施例の説明部分を参照すればよい。以上記述された装置実施例は、単なる模式的なものであり、その中、分離部品として説明された手段は、物理的に分離されたものであってもよいし、そうでなくてもよい。手段として表示された部品は、物理的手段であってもよいし、そうでなくてもよい。つまり、１箇所に位置してもよいし、複数のネットワークセルに分散されてもよい。必要に応じて、モジュールの一部または全部を選択して本開示の目的を達成してもよい。それは、当業者が創造的な労働をせずに、理解し実施可能である。
【００８８】
それ相応に、本開示は、さらに端末を提供する。前記端末は、プロセッサと、プロセッサの実行可能な指令を記憶するためのメモリとを備え、前記プロセッサは、被写体の位置情報を検出し、前記位置情報に基づいて、被写体に対するストロボパラメータを特定するように構成される。
【００８９】
図１２は、一実施例によるストロボの制御装置１２００のための構造模式図である。例えば、装置１２００は、ルーティング機能を有する携帯電話、コンピュータ、デジタル放送端末、メッセージ送受信機器、ゲームコンソール、タブレットデバイス、医療設備、フィットネス機器、ＰＤＡなどであってもよい。
【００９０】
図１２を参照すると、装置１２００は、以下の１つ又は複数のユニット、すなわち、処理ユニット１２０２、メモリ１２０４、電源ユニット１２０６、マルチメディアユニット１２０８、オーディオユニット１２１０、入力・出力（Ｉ／Ｏ）インターフェース１２１２、センサユニット１２１４及び通信ユニット１２１６を備えてもよい。
【００９１】
処理ユニット１２０２は通常、装置１２００の全般操作、例えば、表示、電話発呼、データ通信、カメラ操作及び記録操作に関連する操作を制御する。処理ユニット１２０２は、前記方法のステップの全部又は一部を実行するように、指令を実行する１つ又は複数のプロセッサ１２２０を備えてもよい。また、処理ユニット１２０２は、処理ユニット１２０２と他のユニットとの間の相互作用を容易にするように、１つ又は複数のモジュールを備えてもよい。例えば、処理ユニット１２０２は、マルチメディアユニット１２０８と処理ユニット１２０２との間の相互作用を容易にするように、マルチメディアモジュールを備えてもよい。
【００９２】
メモリ１２０４は、装置１２００での操作をサポートするために、各種別のデータを記憶するように構成される。これらデータの例示は、装置１２００で操作する如何なるアプリケーションプログラムまたは方法の指令、連絡人データ、電話帳データ、メッセージ、ピクチャ、ビデオなどを含む。メモリ１２０４は、如何なる種別の揮発性もしくは不揮発性記憶デバイスまたはそれらの組合せ、例えば、静的ランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクによって実現されてもよい。
【００９３】
電源ユニット１２０６は、装置１２００のユニットのそれぞれに対して電力を供給する。電源ユニット１２０６は、電源管理システム、１つまたは複数の電源、並びに、装置１２００用の電力の生成、管理及び配分に関する他のユニットを含んでも良い。
【００９４】
マルチメディアユニット１２０８は、前記装置１２００とユーザとの間に１つの出力インターフェースを供給するスクリーンを備える。一部の実施例では、スクリーンは、液晶ディスプレイ（ＬＣＤ）およびタッチパネル（ＴＰ）を含んでも良い。スクリーンは、タッチパネルを含む場合、ユーザからの入力信号を受信するように、タッチスクリーンとして実現されてもよい。タッチパネルは、タッチ、スライドおよびタッチパネルでのジェスチャーを感知するように、１つまたは複数のタッチセンサを含む。前記タッチセンサは、タッチまたはスライド動作の境界を感知するだけではなく、前記タッチまたはスライド操作と関連する持続時間および圧力をさらに検出することができる。一部の実施例では、マルチメディアユニット１２０８は、１つのフロントカメラおよび／またはバックカメラを含む。装置１２００が操作モード、例えば、撮像モードまたはビデオモードにあるとき、フロントカメラおよび／またはバックカメラは、外部のマルチメディアデータを受信することができる。フロントカメラおよびバックカメラのそれぞれは、１つの固定の光学レンズシステムであってもよいし、焦点距離および光学ズーム能力を有するものであっても良い。
【００９５】
オーディオユニット１２１０は、オーディオ信号を出力および／または入力するように構成される。例えば、オーディオユニット１２１０は、１つのマイク（ＭＩＣ）を備え、装置１２００が操作モード、例えば、発呼モード、記録モードおよび音声識別モードにあるとき、マイクは、外部オーディオ信号を受信するように構成される。受信されたオーディオ信号は、さらに、メモリ１２０４に記憶される、または、通信ユニット１２１６を介して送信されることができる。一部の実施例では、オーディオユニット１２１０は、さらに、オーディオ信号を出力するためのスピーカをさらに備える。
【００９６】
Ｉ／Ｏインターフェース１２１２は、処理ユニット１２０２とペリフェラルインターフェースモジュールとの間でインターフェースを供給するものであり、前記ペリフェラルインターフェースモジュールは、キーボード、クリックホイール、ボタンなどであってもよい。これらボタンは、ホームページボタン、ボリュームボタン、起動ボタンおよびロックボタンを含んでも良いが、それらに限定されない。
【００９７】
センサユニット１２１４は、いろんな方面での状態推定を装置１２００に供給するための１つ又は複数のセンサを含む。例えば、センサユニット１２１４は、装置１２００のオン／オフ状態、ユニットの相対位置を検出することができ、例えば、前記ユニットが装置１２００のディスプレイおよびテンキーである。センサユニット１２１４は、さらに、装置１２００または装置１２００の１つのユニットの位置変更、ユーザと装置１２００との接触の存在もしくは不存在、装置１２００の方位もしくは加速／減速および装置１２００の温度変化をさらに検出することができる。センサユニット１２１４は、如何なる物理的接触がないとき、近傍にある物体の存在を検出するための近接センサを含んでも良い。センサユニット１２１４は、さらに、イメージングアプリケーションに使用される光センサ、例えばＣＭＯＳまたはＣＣＤ画像センサを含んでも良い。一部の実施例では、当該センサユニット１２１４は、さらに、加速度センサ、ジャイロセンサ、磁気センサ、圧力センサまたは温度センサを含んでも良い。
【００９８】
通信ユニット１２１６は、装置１２００と他の機器間の無線または有線方式の通信が便利になるように構成される。装置１２００は、通信規格に基づく無線ネットワーク、例えば、ＷｉＦｉ、２Ｇもしくは３Ｇ、またはそれらの組合せにアクセスすることができる。ある実施例では、通信ユニット１２１６は、外部ブロードキャスト管理システムからのブロードキャスト信号またはブロードキャスト関連情報をブロードキャストチャネルを介して受信する。ある実施例では、前記通信ユニット１２１６は、短距離通信を容易にするように、ニアフィールド通信（ＮＦＣ）モジュールをさらに備える。例えば、ＮＦＣモジュールでは、無線周波数識別（ＲＦＩＤ）技術、赤外データ協会（ＩｒＤＡ）技術、超広帯域（ＵＷＢ）技術、ブルートゥース（登録商標）（ＢＴ）技術および他の技術によって実現されてもよい。
【００９９】
実施例では、装置１２００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０１００】
当業者は明細書を考慮し、ここに公開された開示を実践した後、本開示の他の実施案を容易に想到する。本願は、本開示の如何なる変形、用途または適合もカバーすることを意図する。これら変形、用途または適合は、本開示の一般的な仕組みに従い、かつ、本開示に公開されていない当分野における公知常識または慣用技術手段を含む。明細書および実施例は単なる例示と見なされ、本開示の本当の範囲および思想は添付の特許請求の範囲によって与えられる。
【０１０１】
本開示が以上で記述されて図面に示された精確な構造に限定されるものでなく、その要旨を逸脱しない範囲でいろんな補正や変更も可能であることは理解されるべきである。本開示の範囲は、添付する特許請求の範囲のみによって限定される。
【０１０２】
本発明は、出願番号が２０１５１０２５７２８０．９であり、出願日が２０１５年０５月１９日である中国特許出願を基に提出するものであり、当該中国特許出願の優先権を主張し、当該中国特許出願の全ての内容は、参照のため本願に援用される。
【図１】
2017524991.tif 000006
【図２Ａ】
2017524991.tif 000007
【図２Ｂ】
2017524991.tif 000008
【図３】
2017524991.tif 000009
【図４】
2017524991.tif 000010
【図５】
2017524991.tif 000011
【図６】
2017524991.tif 000012
【図７】
2017524991.tif 000013
【図８】
2017524991.tif 000014
【図９】
2017524991.tif 000015
【図１０】
2017524991.tif 000016
【図１１】
2017524991.tif 000017
【図１２】
2017524991.tif 000018
【手続補正書】
【提出日】平成27年11月24日(2015.11.24)
【手続補正１】
【補正対象書類名】特許請求の範囲
【補正対象項目名】全文
【補正方法】変更
【補正の内容】
【特許請求の範囲】
【請求項１】
被写体の位置情報を検出するステップと、
前記位置情報に基づいて、前記被写体に対するストロボパラメータを特定するステップとを含むことを特徴とするストロボの制御方法。
【請求項２】
前記位置情報に基づいて、前記被写体に対するストロボパラメータを特定するステップは、
前記位置情報に基づいて、前記ストロボに供給される電流を特定するステップと、
前記電流に基づいて、前記被写体に対するストロボの光強度を特定するステップとを含むことを特徴とする請求項１に記載のストロボの制御方法。
【請求項３】
前記位置情報に基づいて、前記ストロボに供給される電流を特定するステップは、
予め記憶された前記被写体の位置情報と前記ストロボに供給される電流との関係を検索するステップと、
検出された位置情報および検索された前記関係に基づいて、検出された位置情報に対応する電流を前記ストロボに供給される電流として算出するステップとを含むことを特徴とする請求項２に記載のストロボの制御方法。
【請求項４】
前記位置情報に基づいて、前記ストロボに供給される電流を特定するステップは、
前記近端発光面の内側に位置することを検出された位置情報が示す場合、記憶された第１の所定電流を前記ストロボに供給される電流として読み取るステップと、
前記近端発光面と遠端発光面との間に位置することを検出された位置情報が示す場合、検出された位置情報、および、記憶された前記被写体の位置情報と前記ストロボに供給される電流との関係に基づいて、検出された位置情報に対応する電流を前記ストロボに供給される電流として算出するステップと、
前記遠端発光面の外側に位置することを検出された位置情報が示す場合、記憶された第２の所定電流を前記ストロボに供給される電流として読み取るステップとを含むことを特徴とする請求項２に記載のストロボの制御方法。
【請求項５】
前記電流に基づいて、前記被写体に対するストロボの光強度を特定するステップの後に、さらに、
前記光強度に基づいて、前記ストロボの発光角度を特定するステップを含むことを特徴とする請求項２に記載のストロボの制御方法。
【請求項６】
前記ストロボは、少なくとも第１の光を供給するための第１のストロボと第２の光を供給するための第２のストロボとを含み、前記電流は、前記第１のストロボに供給される第１の電流と前記第２のストロボに供給される第２の電流とを含み、前記光強度は、前記第１の光の第１の光強度と第２の光の第２の光強度とを含み、前記発光角度は、前記第１の光に対応する第１の発光角度と前記第２の光に対応する第２の発光角度とにより定められることを特徴とする請求項５に記載のストロボの制御方法。
【請求項７】
前記光強度に基づいて、前記ストロボの発光角度を特定するステップは、
前記第１の光強度と前記第２の光強度との大小関係を判断するステップと、
大きいと判断された光強度について、対応する発光角度が小さいと特定し、小さいと判断された光強度について、対応する発光角度が大きいと特定するステップとを含むことを特徴とする請求項６に記載のストロボの制御方法。
【請求項８】
前記発光角度は、前記第１の発光角度および第１の重み値の積と、前記第２の発光角度および第２の重み値の積とのうちの大きい方であり、前記第１の重み値は、前記第１の電流に正比例し、前記第２の重み値は、前記第２の電流に正比例することを特徴とする請求項６に記載のストロボの制御方法。
【請求項９】
前記位置情報と前記第１の電流との関係は、第１の対数関係であり、前記第１の対数の底は、０よりも大きく、且つ１よりも小さくなり、
前記位置情報と前記第２の電流との関係は、第２の対数関係であり、前記第２の対数の底は、１よりも大きくなることを特徴とする請求項６に記載のストロボの制御方法。
【請求項１０】
前記第１の光と前記第２の光との混合光の光強度が前記位置情報の変化によらず一定となるように、前記第１の電流および前記第２の電流が用いられることを特徴とする請求項９に記載のストロボの制御方法。
【請求項１１】
前記位置情報は、前記被写体と前記ストロボ間の距離情報、並びに、前記被写体の最高点および最低点と前記ストロボとによって形成された角度情報を含むことを特徴とする請求項１乃至１０のうちの何れか一項に記載のストロボの制御方法。
【請求項１２】
被写体の位置情報を検出するための位置情報検出モジュールと、
前記位置情報に基づいて、前記被写体に対するストロボパラメータを特定するためのストロボパラメータ特定モジュールとを備えることを特徴とするストロボの制御装置。
【請求項１３】
前記ストロボパラメータ特定モジュールは、
前記位置情報に基づいて、前記ストロボに供給される電流を特定するための電流特定サブモジュールと、
前記電流に基づいて、前記被写体に対するストロボの光強度を特定するための光強度特定サブモジュールとを備えることを特徴とする請求項１２に記載のストロボの制御装置。
【請求項１４】
前記電流特定サブモジュールは、
予め記憶された前記被写体の位置情報と前記ストロボに供給される電流との関係を検索するための検索サブモジュールと、
検出された位置情報および検索された前記関係に基づいて、検出された位置情報に対応する電流を前記ストロボに供給される電流として算出するための第１の算出サブモジュールとを備えることを特徴とする請求項１３に記載のストロボの制御装置。
【請求項１５】
前記電流特定サブモジュールは、
前記近端発光面の内側に位置することを検出された位置情報が示す場合、記憶された第１の所定電流を前記ストロボに供給される電流として読み取るための第１の所定電流読取サブモジュールと、
前記近端発光面と遠端発光面との間に位置することを検出された位置情報が示す場合、検出された位置情報、および、記憶された前記被写体の位置情報と前記ストロボに供給される電流との関係に基づいて、検出された位置情報に対応する電流を前記ストロボに供給される電流として算出するための第２の算出サブモジュールと、
前記遠端発光面の外側に位置することを検出された位置情報が示す場合、記憶された第２の所定電流を前記ストロボに供給される電流として読み取るための第２の所定電流読取サブモジュールとを備えることを特徴とする請求項１３に記載のストロボの制御装置。
【請求項１６】
前記ストロボパラメータ特定モジュールは、さらに、
前記光強度に基づいて、前記ストロボの発光角度を特定するための発光角度特定サブモジュールを備えることを特徴とする請求項１３に記載のストロボの制御装置。
【請求項１７】
前記ストロボは、少なくとも第１の光を供給するための第１のストロボと第２の光を供給するための第２のストロボとを含み、前記電流は、前記第１のストロボに供給される第１の電流と前記第２のストロボに供給される第２の電流とを含み、前記光強度は、前記第１の光の第１の光強度と第２の光の第２の光強度とを含み、前記発光角度は、前記第１の光に対応する第１の発光角度と前記第２の光に対応する第２の発光角度とにより定められることを特徴とする請求項１６に記載のストロボの制御装置。
【請求項１８】
前記発光角度特定サブモジュールは、
前記第１の光強度と前記第２の光強度との大小関係を判断するための光強度大小判断サブモジュールと、
大きいと判断された光強度について、対応する発光角度が小さいと特定し、小さいと判断された光強度について、対応する発光角度が大きいと特定するための発光角度大小特定サブモジュールとを備えることを特徴とする請求項１７に記載のストロボの制御装置。
【請求項１９】
前記発光角度特定サブモジュールで特定された前記発光角度は、前記第１の発光角度および第１の重み値の積と、前記第２の発光角度および第２の重み値の積とのうちの大きい方であり、前記第１の重み値は、前記第１の電流に正比例し、前記第２の重み値は、前記第２の電流に正比例することを特徴とする請求項１７に記載のストロボの制御装置。
【請求項２０】
前記位置情報と前記第１の電流との関係は、第１の対数関係であり、前記第１の対数の底は、０よりも大きく、且つ１よりも小さくなり、
前記位置情報と前記第２の電流との関係は、第２の対数関係であり、前記第２の対数の底は、１よりも大きくなることを特徴とする請求項１７に記載のストロボの制御装置。
【請求項２１】
前記第１の光と前記第２の光との混合光の光強度が前記位置情報の変化によらず一定となるように、前記電流特定サブモジュールで特定された前記第１の電流および前記第２の電流が用いられることを特徴とする請求項２０に記載のストロボの制御装置。
【請求項２２】
前記位置情報検出モジュールで検出された前記位置情報は、前記被写体と前記ストロボ間の距離情報、並びに、前記被写体の最高点および最低点と前記ストロボとによって形成された角度情報を含むことを特徴とする請求項１１乃至２１のうちの何れか一項に記載のストロボの制御装置。
【請求項２３】
端末であって、
プロセッサと、プロセッサの実行可能な指令を記憶するためのメモリとを備え、
前記プロセッサは、
被写体の位置情報を検出し、
前記位置情報に基づいて、前記被写体に対するストロボパラメータを特定するように構成されることを特徴とする端末。
【請求項２４】
プロセッサに実行されることにより、請求項１から請求項１１のいずれか１項に記載のストロボの制御方法を実現することを特徴とするプログラム。
【請求項２５】
請求項２４に記載のプログラムが記録された記録媒体。
【手続補正２】
【補正対象書類名】明細書
【補正対象項目名】全文
【補正方法】変更
【補正の内容】
【発明の詳細な説明】
【技術分野】
【０００１】
本開示は、撮像技術分野に関し、特に、ストロボの制御方法、装置、端末、プログラム及び記録媒体に関する。
【背景技術】
【０００２】
ストロボは、一般的に、光線が比較的に暗い場合の瞬間照明、および、光線が比較的に明るい場合の局部フィルインに利用されている。カメラで暗い環境において撮影するとき、ストロボは、一般的に先にプリフラッシュし、それから固定の光強度および輝度でフラッシュすることで、フィルイン撮影を行う。
【０００３】
関連技術では、被写体の距離によらず、同じ強度のフラッシュを与えるため、被写体がカメラに近いとき、露出オーバーになり、鮮明なイメージングができない一方、被写体がカメラから離れたとき、十分な光強度での照射ができず、同様に鮮明なイメージングができない。
【発明の概要】
【発明が解決しようとする課題】
【０００４】
本開示は、ストロボが被写体の位置によらず固定の光強度でフィルインすることにより鮮明なイメージングができないという関連技術の問題を解決すべく、ストロボの制御方法、装置、端末、プログラム及び記録媒体を提供する。
【課題を解決するための手段】
【０００５】
本開示の実施例の第１の態様によれば、ストロボの制御方法を提供する。前記ストロボの制御方法は、
被写体の位置情報を検出するステップと、
前記位置情報に基づいて、前記被写体に対するストロボパラメータを特定するステップとを含む。
【０００６】
好ましくは、前記位置情報に基づいて、前記被写体に対するストロボパラメータを特定するステップは、
前記位置情報に基づいて、前記ストロボに供給される電流を特定するステップと、
前記電流に基づいて、前記被写体に対するストロボの光強度を特定するステップとを含む。
【０００７】
好ましくは、前記位置情報に基づいて、前記ストロボに供給される電流を特定するステップは、
予め記憶された前記被写体の位置情報と前記ストロボに供給される電流との関係を検索するステップと、
検出された位置情報および検索された前記関係に基づいて、検出された位置情報に対応する電流を前記ストロボに供給される電流として算出するステップとを含む。
【０００８】
好ましくは、前記位置情報に基づいて、前記ストロボに供給される電流を特定するステップは、
前記近端発光面の内側に位置することを検出された位置情報が示す場合、記憶された第１の所定電流を前記ストロボに供給される電流として読み取るステップと、
前記近端発光面と遠端発光面との間に位置することを検出された位置情報が示す場合、検出された位置情報、および、記憶された前記被写体の位置情報と前記ストロボに供給される電流との関係に基づいて、検出された位置情報に対応する電流を前記ストロボに供給される電流として算出するステップと、
前記遠端発光面の外側に位置することを検出された位置情報が示す場合、記憶された第２の所定電流を前記ストロボに供給される電流として読み取るステップとを含む。
【０００９】
好ましくは、前記電流に基づいて、前記被写体に対するストロボの光強度を特定するステップの後に、さらに、
前記光強度に基づいて、前記ストロボの発光角度を特定するステップを含む。
【００１０】
好ましくは、前記ストロボは、少なくとも第１の光を供給するための第１のストロボと第２の光を供給するための第２のストロボとを含み、前記電流は、前記第１のストロボに供給される第１の電流と前記第２のストロボに供給される第２の電流とを含み、前記光強度は、前記第１の光の第１の光強度と第２の光の第２の光強度とを含み、前記発光角度は、前記第１の光に対応する第１の発光角度と前記第２の光に対応する第２の発光角度とにより定められる。
【００１１】
好ましくは、前記光強度に基づいて、前記ストロボの発光角度を特定するステップは、
前記第１の光強度と前記第２の光強度との大小関係を判断するステップと、
大きいと判断された光強度について、対応する発光角度が小さいと特定し、小さいと判断された光強度について、対応する発光角度が大きいと特定するステップとを含む。
【００１２】
好ましくは、前記発光角度は、前記第１の発光角度および第１の重み値の積と、前記第２の発光角度および第２の重み値の積とのうちの大きい方であり、前記第１の重み値は、前記第１の電流に正比例し、前記第２の重み値は、前記第２の電流に正比例する。
【００１３】
好ましくは、前記位置情報と前記第１の電流との関係は、第１の対数関係であり、前記第１の対数の底は、０よりも大きく、且つ１よりも小さくなり、
前記位置情報と前記第２の電流との関係は、第２の対数関係であり、前記第２の対数の底は、１よりも大きくなる。
【００１４】
好ましくは、前記第１の光と前記第２の光との混合光の光強度が前記位置情報の変化によらず一定となるように、前記第１の電流および前記第２の電流が用いられる。
【００１５】
好ましくは、前記位置情報は、前記被写体と前記ストロボ間の距離情報、並びに、前記被写体の最高点および最低点と前記ストロボとによって形成された角度情報を含む。
【００１６】
本開示の第２の態様によれば、ストロボの制御装置を提供する。前記ストロボの制御装置は、
被写体の位置情報を検出するための位置情報検出モジュールと、
前記位置情報に基づいて、前記被写体に対するストロボパラメータを特定するためのストロボパラメータ特定モジュールとを備える。
【００１７】
好ましくは、前記ストロボパラメータ特定モジュールは、
前記位置情報に基づいて、前記ストロボに供給される電流を特定するための電流特定サブモジュールと、
前記電流に基づいて、前記被写体に対するストロボの光強度を特定するための光強度特定サブモジュールとを備える。
【００１８】
好ましくは、前記電流特定サブモジュールは、
予め記憶された前記被写体の位置情報と前記ストロボに供給される電流との関係を検索するための検索サブモジュールと、
検出された位置情報および検索された前記関係に基づいて、検出された位置情報に対応する電流を前記ストロボに供給される電流として算出するための第１の算出サブモジュールとを備える。
【００１９】
好ましくは、前記電流特定サブモジュールは、
前記近端発光面の内側に位置することを検出された位置情報が示す場合、記憶された第１の所定電流を前記ストロボに供給される電流として読み取るための第１の所定電流読取サブモジュールと、
前記近端発光面と遠端発光面との間に位置することを検出された位置情報が示す場合、検出された位置情報、および、記憶された前記被写体の位置情報と前記ストロボに供給される電流との関係に基づいて、検出された位置情報に対応する電流を前記ストロボに供給される電流として算出するための第２の算出サブモジュールと、
前記遠端発光面の外側に位置することを検出された位置情報が示す場合、記憶された第２の所定電流を前記ストロボに供給される電流として読み取るための第２の所定電流読取サブモジュールとを備える。
【００２０】
好ましくは、前記ストロボパラメータ特定モジュールは、さらに、
前記光強度に基づいて、前記ストロボの発光角度を特定するための発光角度特定サブモジュールを備える。
【００２１】
好ましくは、前記ストロボは、少なくとも第１の光を供給するための第１のストロボと第２の光を供給するための第２のストロボとを含み、前記電流は、前記第１のストロボに供給される第１の電流と前記第２のストロボに供給される第２の電流とを含み、前記光強度は、前記第１の光の第１の光強度と第２の光の第２の光強度とを含み、前記発光角度は、前記第１の光に対応する第１の発光角度と前記第２の光に対応する第２の発光角度とにより定められる。
【００２２】
好ましくは、前記発光角度特定サブモジュールは、
前記第１の光強度と前記第２の光強度との大小関係を判断するための光強度大小判断サブモジュールと、
大きいと判断された光強度について、対応する発光角度が小さいと特定し、小さいと判断された光強度について、対応する発光角度が大きいと特定するための発光角度大小特定サブモジュールとを備える。
【００２３】
好ましくは、前記発光角度特定サブモジュールで特定された前記発光角度は、前記第１の発光角度および第１の重み値の積と、前記第２の発光角度および第２の重み値の積とのうちの大きい方であり、前記第１の重み値は、前記第１の電流に正比例し、前記第２の重み値は、前記第２の電流に正比例する。
【００２４】
好ましくは、前記位置情報と前記第１の電流との関係は、第１の対数関係であり、前記第１の対数の底は、０よりも大きく、且つ１よりも小さくなり、前記位置情報と前記第２の電流との関係は、第２の対数関係であり、前記第２の対数の底は、１よりも大きくなる。
【００２５】
好ましくは、前記第１の光と前記第２の光との混合光の光強度が前記位置情報の変化によらず一定となるように、前記電流特定サブモジュールで特定された前記第１の電流および前記第２の電流が用いられる。
【００２６】
好ましくは、前記位置情報検出モジュールで検出された前記位置情報は、前記被写体と前記ストロボ間の距離情報、並びに、前記被写体の最高点および最低点と前記ストロボとによって形成された角度情報を含む。
【００２７】
本開示の第３の態様によれば、端末を提供する。前記端末は、プロセッサと、プロセッサの実行可能な指令を記憶するためのメモリとを備え、前記プロセッサは、
被写体の位置情報を検出し、
前記位置情報に基づいて、前記被写体に対するストロボパラメータを特定するように構成される。
【００２８】
本開示の実施例の第４の態様によれば、プロセッサに実行されることにより、本開示の実施例の第１の態様に記載のストロボの制御方法を実現するプログラムを提供する。
【００２９】
本開示の実施例の第５の態様によれば、本開示の実施例の第４の態様に記載のプログラムが記録された記録媒体を提供する。
【発明の効果】
【００３０】
本開示の実施例による技術案は、以下の格別な作用効果を含むことができる。
【００３１】
本開示では、端末は、被写体の所在する位置の相違に基づいて、異なるストロボパラメータを特定するため、被写体のストロボまでの距離によらず同じ強度の光を与える関連技術よりも、被写体がストロボに近い場合の露出オーバーによるイメージングの非鮮明、および、被写体がストロボから離れた場合の光強度の弱すぎによるイメージングの非鮮明という問題を解決することができる。
【００３２】
本開示では、端末は、被写体の位置情報に基づいてストロボに供給される電流を制御することで、ストロボパラメータを特定し、当該ストロボパラメータは、光強度であってもよい。つまり、異なる位置の被写体に異なる光強度の光を与えることで、撮影の鮮明度を向上させる。
【００３３】
本開示では、端末は、対応する被写体の位置情報と電流との関係を予め記憶し、被写体の位置情報が検出されると、直接対応する電流を検索し、当該電流でストロボを駆動すればよい。これにより、被写体がどの位置にあっても、被写体上に照射される光の光強度が固定であることは、保証できる。
【００３４】
本開示では、２つの光強度の光を放出する２つのストロボを有してもよく、高い光強度の光に対して小さい発光角度を供給し、低い光強度の光に対して大きい発光角度を供給することで、２つのストロボの混合光の均一性を保証する。
【００３５】
本開示では、端末は、被写体位置と２つのストロボの電流との関係により、検出された被写体の位置情報に基づいて、対応する電流をリアルタイムに算出することで、被写体がどの位置にあっても、固定の光強度のフィルインを取得し、被写体に対する鮮明な撮影を保証する。
【００３６】
本開示では、ストロボの制御装置は、被写体が近端発光面の内側にあるとき、設定された電流値のみで低い光強度のストロボを駆動し、被写体が遠端発光面の外側にあるとき、設定された電流値のみで高い光強度のストロボを駆動することで、省電力が実現できるとともに、鮮明なイメージングも保証できる。
【００３７】
上述した一般的な記述及び後続の詳細な記述は、単に例示的及び解釈的なものであり、本発明を制限できるものでないと理解されるべきである。
【図面の簡単な説明】
【００３８】
ここでの図面は、明細書を構成する一部として見なされ、本開示に適した実施例を示し、かつ、明細書の文字記載とともに本開示の仕組みを解釈するために用いられる。
【図１】本開示の一実施例によるストロボの制御方法を示すフローチャートである。
【図２Ａ】本開示の一実施例による第１の光強度と第１の発光角度の関係を示す曲線グラフである。
【図２Ｂ】本開示の一実施例による第２の光強度と第２の発光角度の関係を示す曲線グラフである。
【図３】本開示の一実施例による第１の関係と第２の関係の曲線グラフである。
【図４】本開示の一実施例による混合光の強度と位置情報の関係図である。
【図５】本開示の一実施例によるストロボの制御応用シーンを示す模式図である。
【図６】本開示の一実施例によるストロボの制御装置を示すブロック図である。
【図７】本開示の一実施例による別のストロボの制御装置を示すブロック図である。
【図８】本開示の一実施例による別のストロボの制御装置を示すブロック図である。
【図９】本開示の一実施例による別のストロボの制御装置を示すブロック図である。
【図１０】本開示の一実施例による別のストロボの制御装置を示すブロック図である。
【図１１】本開示の一実施例による別のストロボの制御装置を示すブロック図である。
【図１２】本開示の一実施例によるストロボの制御装置のための構造模式図である。
【発明を実施するための形態】
【００３９】
次に、実施例を詳細に説明し、例示が図に示されている。以下の記述が図に係る場合、別途にて示さない限り、異なる図面における同じ数字は、同じまたは類似する要素を示す。以下の実施例に記述される実施形態は、本発明と一致する全ての実施形態を代表するとは限らない。逆に、それらは、添付の特許請求の範囲に記載されているように、本発明の一部の態様と一致する装置及び方法の例に過ぎない。
【００４０】
本開示で使用される用語は、単に特定の実施例を記述するためのものに過ぎず、本発明を限定するものではない。本開示及び添付する特許請求の範囲で使用される単数形である「一」、「前記」、及び「当該」も、他の意味を表すと明らかに記載しない限り、複数形を含む。さらに、この文章で使用される用語「および／または」とは、１つまたは複数の関連列挙項目の任意または全ての可能な組合せを含むことを言う、と理解されるべきである。
【００４１】
本開示では、用語である第１、第２などを用いて各種情報を記述する可能性があるが、これらの情報はこれらの用語に限定されない、と理解されるべきである。これら用語は、単に同一種類の情報を互いに区別ためのものに過ぎない。例えば、本発明の範囲を逸脱しない場合、第１の情報は第２の情報と称されても良く、類似的に、第２の情報は第１の情報と称されても良い。言語環境によって、例えば、ここで使用される言葉「若し」は、「…とき」や「…場合」または「…に応答して特定する」と解釈されても良い。
【００４２】
図１に示すように、図１は、一実施例によるストロボの制御方法を示すフローチャートであり、当該方法は、端末に適用可能であり、以下のステップを含むことができる。
【００４３】
ステップ１０１では、被写体の位置情報を検出する。
【００４４】
本開示の端末は、如何なるストロボを有する撮影可能なスマート端末、例えば、スマートフォン、タブレット、ＰＤＡ（Ｐｅｒｓｏｎａｌ  Ｄｉｇｉｔａｌ  Ａｓｓｉｓｔａｎｔ、ＰＤＡ）であってもよいし、デジタルカメラ等のカメラであってもよいし、ハンドル型ストロボデバイス等であってもよい。本開示のストロボは、発光ダイオード（Ｌｉｇｈｔｉｎｇ  Ｅｍｉｔｔｉｎｇ  Ｄｉｏｄｅ、ＬＥＤ）であってもよい。
【００４５】
本開示の手順において、まず、被写体の位置情報を検出し、当該位置情報は、被写体とストロボ間の距離情報を含み、被写体とストロボ間の角度、即ち、ストロボを１つの点と見なし、被写体の最高点からストロボまでの接続線と最低点からストロボまでの接続線との間の角度を更に含む。
【００４６】
ステップ１０２では、位置情報に基づいて、被写体に対するストロボパラメータを特定する。
【００４７】
本開示では、位置情報に基づいて、ストロボに供給される電流を特定し、それから当該電流に基づいて、被写体に対するストロボパラメータを特定してもよい。当該ストロボパラメータは、ストロボから放出された光の光強度を含んでもよく、発光角度をさらに含んでもよい。上述した電流を電圧に置き換えてもよいと理解されるべきであるが、本開示の実施例は、電流を例として説明する。
【００４８】
本開示では、異なる位置にある被写体へ同じ光強度の光を与えることによる露出オーバーや撮影非鮮明という関連技術の問題を解決するために、異なる位置の被写体に応じて異なるストロボパラメータを与えることで、被写体がストロボに遠くても近くても、ほぼ同じ光を取得することを保証する。上記目的を達成するために、被写体の位置情報と対応するストロボ電流との関係を予め記憶し、当該予め記憶された関係を検索することで、検出された位置情報に対応する電流を検索でき、そして当該電流でストロボを駆動して、期待の撮影効果が得られる。
【００４９】
なお、近端発光面や遠端発光面にて被写体の位置を区別してもよく、近端発光面の内側と遠端発光面の外側とに位置する被写体に対して、所定の固定電流を与える。具体的に、検出された位置情報と近端発光面および遠端発光面との位置関係を判断し、近端発光面の内側に位置すると当該位置情報が示すとき、記憶された第１の所定電流をストロボに供給される電流として読み取り、近端発光面と遠端発光面の間に位置すると当該位置情報が示すとき、検出された位置情報、および、記憶された被写体の位置情報とストロボに供給される電流との関係に基づいて、検出された位置情報に対応する電流をストロボに供給される電流として算出し、遠端発光面の外側に位置すると検出された位置情報が示すとき、記憶された第２の所定電流をストロボに供給される電流として読み取る。上述した通り、本開示におけるストロボは、１つであってもよく、被写体位置の相違に基づいて異なるストロボパラメータを与える。
【００５０】
本開示におけるストロボは、ダブルストロボであってもよく、２つのストロボ、即ち、第１の光強度を有する第１の光および第２の光強度を有する第２の光をそれぞれ供給する第１のストロボと第２のストロボとを含み、第１の光と第２の光との混合光は、被写体に照射される。第１のストロボと第２のストロボは、同一の平面に位置しても良い。
【００５１】
本開示における第１の光強度と第２の光強度は、同じであってもよいし、異なっても良い。異なる場合、両者は、少なくとも１．５倍の差がある。ストロボに供給される電流は、第１のストロボに供給される第１の電流と第２のストロボに供給される第２の電流とを含み、ストロボの発光角度は、第１の光に対応する第１の発光角度と第２の光に対応する第２の発光角度とにより定められる。
【００５２】
本開示では、光強度を特定した後で、更にストロボの発光角度を特定してもよい。ダブルストロボの場合、第１の光強度と第２の光強度を特定した後で、どの光強度の方が大きいかを判断しても良い。第１の光強度が第２の光強度よりも小さい場合、第１の発光角度が第２の発光角度よりも大きいと特定し、第１の光強度が第２の光強度よりも大きい場合、第１の発光角度が第２の発光角度よりも小さいと特定する。端末において発光角度がレンズで実現されてもよく、例えば、第１のレンズが第１の発光角度を与え、第２のレンズが第２の発光角度を与える。
【００５３】
本開示の実施例では、発光角度は、第１の発光角度および第１の重み値の積と、第２の発光角度および第２の重み値の積とのうちの大きい方であっても良い。ただし、第１の重み値は、第１の電流に正比例し、第２の重み値は、第２の電流に正比例する。例えば、第１の重み値は、第１の電流と第１の電流および第２の電流の和との比であっても良く、第２の重み値は、第２の電流と第１の電流および第２の電流の和との比であっても良い。計算式は、式（１）である。
【数１】
2017524991.tif 000019
ただし、θ１は第１の発光角度を表し、θ２は第２の発光角度を表し、ｙ１は第１の電流を表し、ｙ２は第２の電流を表し、θは任意の位置に対するレンズモジュール１３０の発光角度を表す。
【００５４】
図２Ａは、第１のストロボの第１の光強度と第１の発光角度との間の関係を示し、図２Ｂは、第２のストロボの第２の光強度と第２の発光角度との間の関係を示す。図２Ａ、２Ｂから分かるように、第１のストロボ１１０より供給された第１の光強度が低いため、本開示の実施例では、第１のレンズが大きい第１の発光角度を与えるようにする。つまり、第１のレンズの中心（図２Ａと２Ｂにおいて０°に対応する位置）から出た第１の光の光強度が第１のレンズの周辺から出た第１の光の光強度よりも弱くなる。第２のストロボ１２０より供給された第２の光の強度が高いため、本開示の実施例では、第２のレンズが小さい第２の発光角度を与えるようにする。つまり、第２のレンズの中心から出た第２の光の光強度が第２のレンズの周辺から出た第２の光の光強度よりも強くなる。これにより、第１のストロボと第２のストロボが一緒に稼動する場合、ストロボに近い位置から遠い位置まで、近端発光面Ａから遠端発光面Ｂまでも、同じ光強度の均一な混合光の取得が確保できる。説明必要なことは、図２Ａ、２Ｂが発光角度と光強度との関係を模式的に示すが、実際の応用では、カメラヘッダの相違により、当該関係曲線が異なる場合もある。しかし、第１のレンズの中心から出た光強度が周辺から出た光強度よりも弱くなり、第２のレンズの中心から出た光強度が周辺から出た光強度よりも強くなることは、同様である。
【００５５】
ダブルストロボの場合、端末で予め記憶された関係は、位置情報と第１の電流との第１の関係、並びに、位置情報と第２の電流との第２の関係を含み、第１の関係に基づいて第１の電流を算出し、第２の関係に基づいて第２の電流を算出してもよい。第１の関係は、第１の対数関係であってもよく、第１の対数の底は、０よりも大きく、且つ１よりも小さくなり、計算式は、式（２）であり、図３に示す曲線Ｘ１に対応する。第２の関係は、第２の対数関係であってもよく、第２の対数の底は、１よりも大きくなり、計算式は、式（３）であり、図３に示す曲線Ｘ２に対応する。
【数２】
2017524991.tif 000020
【数３】
2017524991.tif 000021
ただし、ｘは被写体の位置情報を表し、ｙ１は第１の電流を表し、ｙ２は第２の電流を表す。
【００５６】
さらに図３に示すように、被写体が位置Ｏにあるとすれば、式（３）に従い第１の電流をＹ２として算出し、式（２）に従い第２の電流をＹ１として算出、第１のストロボモジュールへＹ２電流を出力し、第２のストロボへＹ１電流を出力すると、得られた光強度値Ｅは、図４に示される。被写体が近端発光面Ａから遠端発光面Ｂへ移動するとき、式（２）和（３）に従い第１のストロボおよび第２のストロボに対応する電流値を算出することで、近端発光面Ａから遠端発光面Ｂまでも同じフィルイン強度を維持することができる。即ち、第１の光と第２の光とからなる混合光の光強度Ｅである。これにより、被写体が如何なる位置にあっても、同じ光強度の光を補償できるため、鮮明な撮影効果が実現する。
【００５７】
図５に示すように、図５は、一実施例によるストロボの制御応用シーン図であり、当該応用シーンでは、２つのストロボを設ける場合を例として説明する。図５には、端末に設けられた、第１のストロボ１１０と、第１のレンズ１３１と、第２のストロボ１２０と、第２のレンズ１３２と、第１のストロボ１１０に接続された第１の電源１４０と、第２のストロボ１２０に接続された第２の電源１５０と、検出モジュール１６０と、第１の電源１４０、第２の電源１５０および検出モジュール１６０のいずれにも接続された制御モジュール１７０とが含まれる。
【００５８】
本開示の実施例では、第１のストロボモジュール１１０は、第１の光強度の第１の光を供給し、第２のストロボモジュール１２０は、第２の光強度の第２の光を供給する。第２の光の第２の光強度は、第１の光の第１の光強度の２倍である。第１のレンズ１３１は、第１の発光角度を第１のストロボ１１０へ与えるように、第１のストロボ１１０の位置に応じて設けられ、第２のレンズ１３２は、第２の発光角度を第２のストロボ１２０へ与えるように、第２のストロボ１２０の位置に応じて設けられる。図５に示すように、第１の光強度が第２の光強度よりも小さいため、対応する第１の発光角度θ１が第２の発光角度θ２よりも大きくなる。例えば、第１の発光角度θ１が８０°であり、第２の発光角度θ２が５０°である。式（１）に従い２つのレンズより最終的に与えられた発光角度を特定できる。なお、距離が遠いとき、第１のレンズ１３１と第２のレンズ１３２間の距離を無視してもよいため、図５において、第１の発光角度θ１と第２の発光角度θ２が同一の頂点より示され、且つ、Ａは近端発光面を示し、Ｂは遠端発光面を示す。
【００５９】
第１の電源１４０は、第１のストロボ１１０へ第１の電流を供給するために、第１のストロボ１１０に接続される。第２の電源１５０は、第２のストロボ１２０へ第２の電流を供給するために、第２のストロボ１２０に接続される。第１の電源１４０は、１つのみが稼動してもよいし、２つが一緒に稼動してもよい。対応する第１のストロボ１１０と第２のストロボ１２０も、１つのみが稼動してもよいし、２つが一緒に稼動してもよい。
【００６０】
検出モジュール１６０は、被写体の位置情報を検出する。本開示の実施例において、検出モジュール１６０は、１つのカメラヘッダであってもよいし、被写体位置を検出する専用の検出装置であってもよい。
【００６１】
制御モジュール１７０は、検出モジュール１６０で検出された位置情報に基づいて、第１の電源１４０および第２の電源１５０が規定の電流を出力するように制御する。当該シーンでは、制御モジュール１７０に、第１の所定電流、第２の所定電流が記憶されており、さらに、被写体の位置情報と第１の電流との第１の関係、および被写体の位置情報と第２の電流との第２の関係が記憶されている。
【００６２】
当該応用シーンでは、ストロボの制御方法は、下記のようになってもよい。つまり、検出モジュール１６０は、被写体の位置情報を検出し、当該位置情報を制御モジュール１７０へ送信し、制御モジュール１７０は、近端発光面Ａと遠端発光面Ｂとの間に位置することを当該位置情報が示す場合、検出された位置情報、第１の関係および第２の関係に基づいて、検出された位置情報に対応する第１の電流和第２の電流を算出する。近端発光面Ａの内側に位置することを検出された位置情報が示す場合、ただ第１の所定電流を第１の電流として第１のストロボ１１０へ出力し、被写体が近端発光面Ａ以内のどの位置にあっても、当該第１の所定電流にて第１のストロボ１１０を駆動してフラッシュし、第２の電源１５０に対して制御しない。つまり、このような場合に、第２の電源１５０の出力電流が零であり、第２のストロボ１２０が稼動しない。遠端発光面Ｂの外側に位置することを当該位置情報が示す場合、ただ第２の電源１５０が第２の所定電流を第２の電流として第２のストロボ１２０へ出力するように制御し、被写体が遠端発光面Ｂ以外のどの位置にあっても、当該第２の所定電流にて第２のストロボ１２０を駆動してフラッシュし、第１のストロボ１１０に対して制御しない。つまり、このような場合に、第１の電源１４０の出力電流が零であり、第１のストロボ１１０が稼動しない。近端発光面Ａと遠端発光面Ｂ間に位置することを当該位置情報が示す場合、第１の電源１４０が算出された第１の電流を第１のストロボ１１０へ出力するように制御し、且つ、第２の電源１５０が算出された第２の電流を第２のストロボ１２０へ出力するように制御する。このような場合に、第１のストロボ１１０と第２のストロボ１２０とが一緒に稼動し、第１のストロボ１１０は、第１の電流に基づいてフラッシュし、第２のストロボ１２０は、第２の電流に基づいてフラッシュする。
【００６３】
被写体が運動状態であるとき、制御モジュール１７０は、検出モジュール１６０で検出された被写体の位置、並びに、記憶された第１の関係および第２の関係に基づいて、第１の電源１４０と第２の電源１５０から出力された電流値をリアルタイムに調整することで、被写体が如何なる位置にあっても、被写体上に照射される第１の光と第２の光との混合光の光強度が一定となるように保証できる。
【００６４】
第１のストロボ１１０が光強度の低いストロボであるため、近距離の被写体にとって、露出オーバーによる撮影の非鮮明という問題は存在しない。同様に、第２のストロボ１２０が光強度の高いストロボであるため、フィルイン不足による撮影の非鮮明という問題は存在しない。つまり、このような方式でも、被写体に対する鮮明な撮影が実現できる。
【００６５】
説明必要なことは、ストロボの数は、１つ、２つに限定されない。複数のストロボも本実施例を実現できる。
【００６６】
図６に示すように、図６は、本開示の一実施例によるストロボの制御装置を示すブロック図であり、当該装置は、位置情報検出モジュール９１０と、ストロボパラメータ特定モジュール９２０とを備えてもよい。
【００６７】
ただし、位置情報検出モジュール６１０は、被写体の位置情報を検出するように構成され、
ストロボパラメータ特定モジュール６２０は、位置情報検出モジュール６１０で検出された位置情報に基づいて、被写体に対するストロボパラメータを特定するように構成される。
【００６８】
上記実施例では、端末は、被写体の所在する位置の相違に基づいて、異なるストロボパラメータを特定するため、被写体のストロボまでの距離によらず同じ強度の光を与える関連技術よりも、被写体がストロボに近い場合の露出オーバーによるイメージングの非鮮明、および、被写体がストロボから離れた場合の光強度の弱すぎによるイメージングの非鮮明という問題を解決することができる。
【００６９】
図７に示すように、図７は、本開示の一実施例による別のストロボの制御装置を示すブロック図であり、当該実施例は、上述した図６に示す実施例に加えて、ストロボパラメータ特定モジュール６２０は、電流特定サブモジュール６２１と、光強度特定サブモジュール６２２とを備えてもよい。
【００７０】
ただし、電流特定サブモジュール６２１は、位置情報検出モジュール６１０で検出された位置情報に基づいて、ストロボに供給される電流を特定するように構成され、
光強度特定サブモジュール６２２は、電流特定サブモジュール６２１で特定された電流に基づいて、被写体に対するストロボの光強度を特定するように構成される。
【００７１】
上記実施例では、端末は、被写体の位置情報に基づいてストロボに供給される電流を制御することで、ストロボパラメータを特定し、当該ストロボパラメータは、光強度であってもよい。つまり、異なる位置にある被写体に対して異なる光強度の光を与えることで、撮影の鮮明度を向上させる。
【００７２】
図８に示すように、図８は、本開示の一実施例による別のストロボの制御装置を示すブロック図であり、当該実施例は、上述した図７に示す実施例に加えて、電流特定サブモジュール６２１は、検索サブモジュール６２３と、第１の算出サブモジュール６２４とを備えてもよい。
【００７３】
ただし、検索サブモジュール６２３は、予め記憶された被写体の位置情報とストロボに供給される電流との関係を検索するように構成され、
第１の算出サブモジュール６２４は、検出された位置情報および検索サブモジュール６２３で検索された関係に基づいて、検出された位置情報に対応する電流をストロボに供給される電流として算出するように構成される。
【００７４】
上記実施例では、端末は、対応する被写体の位置情報と電流との関係を予め記憶し、被写体の位置情報が検出された後で、直接対応する電流を検索し、当該電流にてストロボを駆動すればよい。これにより、被写体がどの位置にあっても、被写体上に照射される光の光強度が固定であることは、保証できる。
【００７５】
図９に示すように、図９は、本開示の一実施例による別のストロボの制御装置を示すブロック図であり、当該実施例は、上述した図７に示す実施例に加えて、電流特定サブモジュール６２１は、第１の所定電流読取サブモジュール６２５と、第２の算出サブモジュール６２６と、第２の所定電流読取サブモジュール６２７とを備えてもよい。
【００７６】
ただし、第１の所定電流読取サブモジュール６２５は、近端発光面の内側に位置することを位置情報検出モジュール６１０で検出された位置情報が示す場合、記憶された第１の所定電流をストロボに供給される電流として読み取るように構成され、
第２の算出サブモジュール６２６は、近端発光面と遠端発光面との間に位置することを位置情報検出モジュール６１０で検出された位置情報が示す場合、検出された位置情報、および、記憶された被写体の位置情報とストロボに供給される電流との関係に基づいて、検出された位置情報に対応する電流をストロボに供給される電流として算出するように構成され、
第２の所定電流読取サブモジュール６２７は、遠端発光面の外側に位置することを位置情報検出モジュール６１０で検出された位置情報が示す場合、記憶された第２の所定電流をストロボに供給される電流として読み取るように構成される。
【００７７】
上記実施例では、近端発光面の内側に位置するまたは遠端発光面の外側に位置する被写体について、端末は、予め記憶された固定電流をストロボへ供給し、近端発光面と遠端発光面間に位置する被写体のみについて、予め記憶された位置情報と電流との関係に基づいて対応する電流を算出することも可能であるため、撮影の鮮明度も保証できる。
【００７８】
図１０に示すように、図１０は、本開示の一実施例による別のストロボの制御装置を示すブロック図であり、当該実施例は、上述した図７に示す実施例に加えて、ストロボパラメータ特定モジュール６２０は、発光角度特定サブモジュール６２８をさらに備えてもよい。
【００７９】
ただし、発光角度特定サブモジュール６２８は、光強度特定サブモジュール６２２で特定された光強度に基づいて、ストロボの発光角度を特定するように構成される。
【００８０】
その中、ストロボは、少なくとも第１の光を供給するための第１のストロボと、第２の光を供給するための第２のストロボとを含み、当該電流は、第１のストロボに供給される第１の電流と、第２のストロボに供給される第２の電流とを含み、当該光強度は、第１の光の第１の光強度と、第２の光の第２の光強度とを含み、当該発光角度は、第１の光に対応する第１の発光角度と第２の光に対応する第２の発光角度とにより定められる。
【００８１】
上記実施例では、ストロボの発光角度も特定され、光強度の強い光に対して小さい発光角度を与え、光強度の弱い光に対して大きい発光角度を与えるため、第１のストロボと第２のストロボが一緒に稼動するとき、ストロボに近い位置から遠い位置まで、近端発光面Ａから遠端発光面Ｂまでも、同じ光強度の均一な混合光の取得は保証できる。
【００８２】
図１１に示すように、図１１は、本開示の一実施例による別のストロボの制御装置を示すブロック図であり、当該実施例は、上述した図１０に示す実施例に加えて、発光角度特定サブモジュール６２８は、光強度大小判断サブモジュール６２９と、発光角度大小特定サブモジュール６２１０とを備えてもよい。
【００８３】
ただし、光強度大小判断サブモジュール６２９は、第１の光強度と第２の光強度との大小関係を判断するように構成され、
発光角度大小特定サブモジュール６２１０は、光強度大小判断サブモジュール６２９によって大きいと判断された光強度について、対応する発光角度が小さいと特定し、光強度大小判断サブモジュール６２９によって小さいと判断された光強度について、対応する発光角度が大きいと特定するように構成される。
【００８４】
その中、発光角度特定サブモジュール６２８で特定された発光角度は、第１の発光角度および第１の重み値の積と、第２の発光角度および第２の重み値の積とのうちの大きい方であり、当該第１の重み値は、第１の電流に正比例し、当該第２の重み値は、第２の電流に正比例する。
【００８５】
その中、被写体の位置情報と第１の電流との関係は、第１の対数関係であり、当該第１の対数の底は、０よりも大きく、且つ１よりも小さくなり、被写体の位置情報と第２の電流との関係は、第２の対数関係であり、当該第２の対数の底は、１よりも大きくなる。
【００８６】
その中、電流特定サブモジュール６２１で特定された第１の電流および第２の電流は、第１の光と第２の光との混合光の光強度が位置情報の変化によらず一定となるように用いられる。
【００８７】
図６−図１１に示す実施例では、位置情報検出モジュール６１０で検出された位置情報は、被写体とストロボ間の距離情報、並びに、被写体の最高点および最低点と上記ストロボとによりなされた角度情報を含む。
【００８８】
上記装置における各モジュールの機能および作用の実現手順は、上記方法における対応するステップの実現手順を参照すればよく、ここで繰り返し説明しない。
【００８９】
装置実施例が基本的に方法実施例に対応するため、その関連するところは、方法実施例の説明部分を参照すればよい。以上記述された装置実施例は、単なる模式的なものであり、その中、分離部品として説明された手段は、物理的に分離されたものであってもよいし、そうでなくてもよい。手段として表示された部品は、物理的手段であってもよいし、そうでなくてもよい。つまり、１箇所に位置してもよいし、複数のネットワークセルに分散されてもよい。必要に応じて、モジュールの一部または全部を選択して本開示の目的を達成してもよい。それは、当業者が創造的な労働をせずに、理解し実施可能である。
【００９０】
それ相応に、本開示は、さらに端末を提供する。前記端末は、プロセッサと、プロセッサの実行可能な指令を記憶するためのメモリとを備え、前記プロセッサは、被写体の位置情報を検出し、前記位置情報に基づいて、被写体に対するストロボパラメータを特定するように構成される。
【００９１】
図１２は、一実施例によるストロボの制御装置１２００のための構造模式図である。例えば、装置１２００は、ルーティング機能を有する携帯電話、コンピュータ、デジタル放送端末、メッセージ送受信機器、ゲームコンソール、タブレットデバイス、医療設備、フィットネス機器、ＰＤＡなどであってもよい。
【００９２】
図１２を参照すると、装置１２００は、以下の１つ又は複数のユニット、すなわち、処理ユニット１２０２、メモリ１２０４、電源ユニット１２０６、マルチメディアユニット１２０８、オーディオユニット１２１０、入力・出力（Ｉ／Ｏ）インターフェース１２１２、センサユニット１２１４及び通信ユニット１２１６を備えてもよい。
【００９３】
処理ユニット１２０２は通常、装置１２００の全般操作、例えば、表示、電話発呼、データ通信、カメラ操作及び記録操作に関連する操作を制御する。処理ユニット１２０２は、前記方法のステップの全部又は一部を実行するように、指令を実行する１つ又は複数のプロセッサ１２２０を備えてもよい。また、処理ユニット１２０２は、処理ユニット１２０２と他のユニットとの間の相互作用を容易にするように、１つ又は複数のモジュールを備えてもよい。例えば、処理ユニット１２０２は、マルチメディアユニット１２０８と処理ユニット１２０２との間の相互作用を容易にするように、マルチメディアモジュールを備えてもよい。
【００９４】
メモリ１２０４は、装置１２００での操作をサポートするために、各種別のデータを記憶するように構成される。これらデータの例示は、装置１２００で操作する如何なるアプリケーションプログラムまたは方法の指令、連絡人データ、電話帳データ、メッセージ、ピクチャ、ビデオなどを含む。メモリ１２０４は、如何なる種別の揮発性もしくは不揮発性記憶デバイスまたはそれらの組合せ、例えば、静的ランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクによって実現されてもよい。
【００９５】
電源ユニット１２０６は、装置１２００のユニットのそれぞれに対して電力を供給する。電源ユニット１２０６は、電源管理システム、１つまたは複数の電源、並びに、装置１２００用の電力の生成、管理及び配分に関する他のユニットを含んでも良い。
【００９６】
マルチメディアユニット１２０８は、前記装置１２００とユーザとの間に１つの出力インターフェースを供給するスクリーンを備える。一部の実施例では、スクリーンは、液晶ディスプレイ（ＬＣＤ）およびタッチパネル（ＴＰ）を含んでも良い。スクリーンは、タッチパネルを含む場合、ユーザからの入力信号を受信するように、タッチスクリーンとして実現されてもよい。タッチパネルは、タッチ、スライドおよびタッチパネルでのジェスチャーを感知するように、１つまたは複数のタッチセンサを含む。前記タッチセンサは、タッチまたはスライド動作の境界を感知するだけではなく、前記タッチまたはスライド操作と関連する持続時間および圧力をさらに検出することができる。一部の実施例では、マルチメディアユニット１２０８は、１つのフロントカメラおよび／またはバックカメラを含む。装置１２００が操作モード、例えば、撮像モードまたはビデオモードにあるとき、フロントカメラおよび／またはバックカメラは、外部のマルチメディアデータを受信することができる。フロントカメラおよびバックカメラのそれぞれは、１つの固定の光学レンズシステムであってもよいし、焦点距離および光学ズーム能力を有するものであっても良い。
【００９７】
オーディオユニット１２１０は、オーディオ信号を出力および／または入力するように構成される。例えば、オーディオユニット１２１０は、１つのマイク（ＭＩＣ）を備え、装置１２００が操作モード、例えば、発呼モード、記録モードおよび音声識別モードにあるとき、マイクは、外部オーディオ信号を受信するように構成される。受信されたオーディオ信号は、さらに、メモリ１２０４に記憶される、または、通信ユニット１２１６を介して送信されることができる。一部の実施例では、オーディオユニット１２１０は、さらに、オーディオ信号を出力するためのスピーカをさらに備える。
【００９８】
Ｉ／Ｏインターフェース１２１２は、処理ユニット１２０２とペリフェラルインターフェースモジュールとの間でインターフェースを供給するものであり、前記ペリフェラルインターフェースモジュールは、キーボード、クリックホイール、ボタンなどであってもよい。これらボタンは、ホームページボタン、ボリュームボタン、起動ボタンおよびロックボタンを含んでも良いが、それらに限定されない。
【００９９】
センサユニット１２１４は、いろんな方面での状態推定を装置１２００に供給するための１つ又は複数のセンサを含む。例えば、センサユニット１２１４は、装置１２００のオン／オフ状態、ユニットの相対位置を検出することができ、例えば、前記ユニットが装置１２００のディスプレイおよびテンキーである。センサユニット１２１４は、さらに、装置１２００または装置１２００の１つのユニットの位置変更、ユーザと装置１２００との接触の存在もしくは不存在、装置１２００の方位もしくは加速／減速および装置１２００の温度変化をさらに検出することができる。センサユニット１２１４は、如何なる物理的接触がないとき、近傍にある物体の存在を検出するための近接センサを含んでも良い。センサユニット１２１４は、さらに、イメージングアプリケーションに使用される光センサ、例えばＣＭＯＳまたはＣＣＤ画像センサを含んでも良い。一部の実施例では、当該センサユニット１２１４は、さらに、加速度センサ、ジャイロセンサ、磁気センサ、圧力センサまたは温度センサを含んでも良い。
【０１００】
通信ユニット１２１６は、装置１２００と他の機器間の無線または有線方式の通信が便利になるように構成される。装置１２００は、通信規格に基づく無線ネットワーク、例えば、ＷｉＦｉ、２Ｇもしくは３Ｇ、またはそれらの組合せにアクセスすることができる。ある実施例では、通信ユニット１２１６は、外部ブロードキャスト管理システムからのブロードキャスト信号またはブロードキャスト関連情報をブロードキャストチャネルを介して受信する。ある実施例では、前記通信ユニット１２１６は、短距離通信を容易にするように、ニアフィールド通信（ＮＦＣ）モジュールをさらに備える。例えば、ＮＦＣモジュールでは、無線周波数識別（ＲＦＩＤ）技術、赤外データ協会（ＩｒＤＡ）技術、超広帯域（ＵＷＢ）技術、ブルートゥース（登録商標）（ＢＴ）技術および他の技術によって実現されてもよい。
【０１０１】
実施例では、装置１２００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０１０２】
当業者は明細書を考慮し、ここに公開された開示を実践した後、本開示の他の実施案を容易に想到する。本願は、本開示の如何なる変形、用途または適合もカバーすることを意図する。これら変形、用途または適合は、本開示の一般的な仕組みに従い、かつ、本開示に公開されていない当分野における公知常識または慣用技術手段を含む。明細書および実施例は単なる例示と見なされ、本開示の本当の範囲および思想は添付の特許請求の範囲によって与えられる。
【０１０３】
本開示が以上で記述されて図面に示された精確な構造に限定されるものでなく、その要旨を逸脱しない範囲でいろんな補正や変更も可能であることは理解されるべきである。本開示の範囲は、添付する特許請求の範囲のみによって限定される。
【０１０４】
本発明は、出願番号が２０１５１０２５７２８０．９であり、出願日が２０１５年０５月１９日である中国特許出願を基に提出するものであり、当該中国特許出願の優先権を主張し、当該中国特許出願の全ての内容は、参照のため本願に援用される。
【国際調査報告】
2017524991.tif 000022
2017524991.tif 000023
2017524991.tif 000024
2017524991.tif 000025
2017524991.tif 000026
2017524991.tif 000027